(57)【特許請求の範囲】
【請求項１】
ＡＭＦ（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）エンティティに応用されるＳＭＦ（Ｓｅｓｓｉｏｎ  Ｍａｎａｇｅｍｅｎｔ  Ｆｕｎｃｔｉｏｎ）インサート方法において、
ＵＥ（Ｕｓｅｒ  Ｅｑｕｉｐｍｅｎｔ）が前記ＵＥの第１ＰＤＵ（Ｐａｃｋｅｔ  Ｄａｔａ  Ｕｎｉｔ）セッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせることと、
前記第２ＳＭＦエンティティを利用して第１ＰＤＵセッションを更新することとを含み、
ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせることは、
ＮＲＦエンティティから提供される前記第１ＳＭＦエンティティのサービングエリア情報に基づいて、前記ＵＥが前記第１ＳＭＦエンティティのサービングエリアから離れると特定することと、
前記ＵＥの関連情報を利用し、前記ＵＥにサービング可能な第２ＳＭＦエンティティを問い合わせることとを含み、
前記ＮＲＦエンティティから提供される前記第１ＳＭＦエンティティのサービングエリア情報に基づいて、前記ＵＥが前記第１ＳＭＦエンティティのサービングエリアから離れると特定することは、
前記ＮＲＦエンティティから提供される前記第１ＳＭＦエンティティのサービングエリア情報を取得して保存することと、
前記ＵＥの登録更新プロセス、サービス要求プロセスまたは切り替えプロセスにおいて、前記第１ＳＭＦエンティティのサービングエリア情報に基づいて、前記ＵＥが前記第１ＳＭＦエンティティのサービングエリアから離れると特定することとを含むＳＭＦインサート方法。
【請求項２】
ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせる前に、
前記ＵＥから送信される登録更新要求メッセージを受信し、または、前記ＵＥにサービングする基地局から送信される切り替え要求またはパス切り替え要求メッセージを受信することと、
前記第１ＳＭＦエンティティのＩＤが含まれる前記ＵＥの第１ＰＤＵセッション情報を特定することとをさらに含む、請求項１に記載の方法。
【請求項３】
前記ＵＥの位置情報を前記第１ＳＭＦエンティティに提供することをさらに含む、請求項２に記載の方法。
【請求項４】
前記第１ＳＭＦエンティティは、
アンカーポイントＳＭＦエンティティまたは第１中間ＳＭＦエンティティを含む、請求項１に記載の方法。
【請求項５】
前記ＵＥの関連情報を利用し、前記ＵＥにサービング可能な第２ＳＭＦエンティティを問い合わせることは、
前記ＵＥの関連情報を利用し、ＮＲＦ（ＮＦ  Ｒｅｐｏｓｉｔｏｒｙ  Ｆｕｎｃｔｉｏｎ）エンティティを問い合わせ、前記第２ＳＭＦエンティティの情報を取得することと、
前記第２ＳＭＦエンティティの情報に基づいて、前記第２ＳＭＦエンティティを特定することとを含む、請求項１に記載の方法。
【請求項６】
ＵＥから送信される登録更新要求メッセージを再び受信し、または、前記ＵＥにサービングする基地局から送信される切り替え要求またはパス切り替え要求メッセージを受信すると、
前記ＵＥにサービングする第２ＳＭＦエンティティがネットワークに存在すると特定することと、
前記第２ＳＭＦエンティティが引き続きサービング可能であるかを判断することとをさらに含み、
前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートし、
前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする、請求項２に記載の方法。
【請求項７】
前記第１ＰＤＵセッション情報は、
前記第１ＰＤＵセッションの所属するネットワークスライシングの情報をさらに含む、請求項２に記載の方法。
【請求項８】
前記ＵＥから送信される登録更新要求メッセージを再び受信し、または、前記ＵＥにサービングする基地局から送信される切り替え要求またはパス切り替え要求メッセージを受信すると、
前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定することと、
前記第２ＳＭＦエンティティが引き続きサービング可能であるかを判断することとをさらに含み、
前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートし、
前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする、請求項７に記載の方法。
【請求項９】
前記ＵＥにサービングする第２ＳＭＦエンティティがネットワークに存在すると特定することと、
前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートすることとをさらに含む、請求項１に記載の方法。
【請求項１０】
前記第１ＰＤＵセッションの所属するネットワークスライシングの情報を特定することと、
前記第１ＰＤＵセッションの所属するネットワークスライシングの情報に基づいて、前記第１ＰＤＵセッションの所属するネットワークスライシングに前記ＵＥの第２ＰＤＵセッションが存在すると特定することと、
前記ＵＥにサービングする第２ＳＭＦエンティティが前記第１ＰＤＵセッションの所属するネットワークスライシングに存在すると特定することと、
前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサートすることとをさらに含む、請求項１に記載の方法。
【請求項１１】
ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせる問い合わせモジュールと、
前記第２ＳＭＦエンティティを利用して第１ＰＤＵセッションを更新する更新モジュールとを含み、
前記問い合わせモジュールは、さらに、
ＮＲＦエンティティから提供される前記第１ＳＭＦエンティティのサービングエリア情報に基づいて、前記ＵＥが前記第１ＳＭＦエンティティのサービングエリアから離れると特定することと、
前記ＵＥの関連情報を利用し、前記ＵＥにサービング可能な第２ＳＭＦエンティティを問い合わせることとに用いられ、
前記ＮＲＦエンティティから提供される前記第１ＳＭＦエンティティのサービングエリア情報に基づいて、前記ＵＥが前記第１ＳＭＦエンティティのサービングエリアから離れると特定することは、
前記ＮＲＦエンティティから提供される前記第１ＳＭＦエンティティのサービングエリア情報を取得して保存することと、
前記ＵＥの登録更新プロセス、サービス要求プロセスまたは切り替えプロセスにおいて、前記第１ＳＭＦエンティティのサービングエリア情報に基づいて、前記ＵＥが前記第１ＳＭＦエンティティのサービングエリアから離れると特定することとを含む、ＡＭＦエンティティ。
【請求項１２】
前記ＵＥから送信される登録更新要求メッセージを受信し、または、前記ＵＥにサービングする基地局から送信される切り替え要求またはパス切り替え要求メッセージを受信する受信モジュールと、
前記第１ＳＭＦエンティティのＩＤが含まれる前記ＵＥの第１ＰＤＵセッション情報を特定する第１特定モジュールとをさらに含む、請求項１１に記載のＡＭＦエンティティ。
【発明の詳細な説明】
【技術分野】
【０００１】
本願は、２０１７年６月１２日に中国特許庁に提出された中国特許出願２０１７１０４３８９６０．Ｘの優先権、および、２０１８年１月２日に中国特許庁に提出された中国特許出願２０１８１０００１５５０．３の優先権を主張し、その全ての内容が援用によりここに取り込まれる。
本開示は、通信技術分野に係り、特にＳＭＦインサート方法およびＡＭＦエンティティに係る。
【背景技術】
【０００２】
５Ｇ（５ｔｈ  Ｇｅｎｅｒａｔｉｏｎ）において、ＵＰＦ（Ｕｓｅｒ  Ｐｌａｎｅ  Ｆｕｎｃｔｉｏｎ）エンティティのサービングエリアが限られ、すなわちＵＰＦエンティティに直接的に接続可能なＡＮ（Ａｃｃｅｓｓ  Ｎｅｔｗｏｒｋ）ノードの数が限られ、制御プレーンのＳＭＦ（Ｓｅｓｓｉｏｎ  Ｍａｎａｇｅｍｅｎｔ  Ｆｕｎｃｔｉｏｎ）エンティティで制御可能なＵＰＦエンティティも限られるため、ＳＭＦエンティティのサービング可能な範囲が限られる。ＵＥ（Ｕｓｅｒ  Ｅｑｕｉｐｍｅｎｔ）が移動してアンカーポイントＵＰＦエンティティのサービングエリアから離れると、ユーザプレーンのデータ転送の中継のための中間ＵＰＦエンティティをＡＮノードとアンカーポイントＵＰＦエンティティとの間にインサートする必要がある。しかし、中間ＵＰＦエンティティがＳＭＦエンティティの現在のサービングエリアにない場合、ネットワークにおいて、中間ＵＰＦエンティティにサービングするＳＭＦエンティティへのシグナリング接続を確立し、１つの中間ＳＭＦエンティティをインサートする必要がある。
【０００３】
３ＧＰＰ（登録商標）（３ｒｄ  Ｇｅｎｅｒａｔｉｏｎ  Ｐａｒｔｎｅｒｓｈｉｐ  Ｐｒｏｊｅｃｔ）では、２種類の中間ＳＭＦインサート方法が提案されている。
【０００４】
方法１として、ＡＮＦ（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）エンティティによって中間ＳＭＦエンティティを選択する。ここで、ＡＭＦエンティティは、ＮＲＦ（Ｎｅｔｗｏｒｋ  ｆｕｎｃｔｉｏｎ  ｒｅｐｏｓｉｔｏｒｙ  ｆｕｎｃｔｉｏｎ）エンティティによってＳＭＦエンティティの選択を行い、ＵＥの現在の所在位置ＴＡ（Ｔｒａｃｋｉｎｇ  Ａｒｅａ）とＤＮＮ（ｄｉｇｉｔａｌ  ｄａｔａ  ｎｅｔｗｏｒｋ）を問い合わせ条件とし、ＮＲＦエンティティから１つのＳＭＦエンティティが返信されると、当該ＳＭＦエンティティをアンカーポイントＳＭＦエンティティに特定する。条件を満たすＳＭＦエンティティを見つけられないと、ＮＲＦエンティティが、ＵＥの現在の所在ＴＡとＤＮＮを用いてそれぞれＳＭＦエンティティの検索を行い、現在のＴＡにサービングするＳＭＦエンティティを中間ＳＭＦエンティティに特定し、現在のＤＮＮにサービングするＳＭＦエンティティをアンカーポイントＳＭＦエンティティに特定する。しかし、このような方法において、ＵＥの位置が更新するたびにＳＭＦエンティティの問い合わせを行うことを避けるのであれば、ＡＭＦエンティティとＳＭＦエンティティのサービングエリアが一致する必要がある。これは、配置の制限を提出する。ＵＥの位置が変化するたびに、ＡＭＦエンティティがＵＥのＴＡ情報とＤＮＮ情報を用いてＳＭＦエンティティの問い合わせを行うのであれば、必要以上の大量の問い合わせ操作をもたらし、サービス要求プロセスにおいて遅延が増加する。
【０００５】
方法２として、アンカーポイントＳＭＦエンティティによって中間ＳＭＦエンティティの選択を行う。ここで、アンカーポイントＳＭＦエンティティは、ＵＥの位置情報に基づいて中間ＳＭＦエンティティの選択を行う。中間ＳＭＦエンティティのインサートは、ＡＭＦエンティティにとって完全に透明である。ＡＭＦエンティティと中間ＳＭＦエンティティとの間のすべてのシグナリングメッセージは、アンカーポイントＳＭＦエンティティによって中継される。しかし、このような方法において、中間ＳＭＦエンティティのインサートがＡＭＦエンティティにとって完全に透明であり、ＡＭＦエンティティと中間ＳＭＦエンティティとの間のすべてのシグナリングメッセージがアンカーポイントＳＭＦエンティティによって中継されるため、シグナリング伝送パスが冗長になり、シグナリング処理プロセスの遅延が増加する。
【発明の概要】
【発明が解決しようとする課題】
【０００６】
本開示は、中間ＳＭＦインサート方法において中間ＳＭＦを効果的にインサートすることができないという問題を解決するために、ＳＭＦインサート方法およびＡＭＦエンティティを提供する。
【課題を解決するための手段】
【０００７】
第１方面において、本開示の一部実施例は、ＳＭＦインサート方法を提供する。ＡＭＦエンティティに応用される当該方法において、ＵＥが前記ＵＥの第１ＰＤＵ（Ｐａｃｋｅｔ  Ｄａｔａ  Ｕｎｉｔ）セッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせることと、前記第２ＳＭＦエンティティを利用して第１ＰＤＵセッションを更新することとを含む。
【０００８】
選択可能に、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせることは、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定することと、前記ＵＥの関連情報を利用し、前記ＵＥにサービング可能な第２ＳＭＦエンティティを問い合わせることとを含む。
【０００９】
選択可能に、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせる前に、前記方法において、前記ＵＥから送信される登録更新要求メッセージを受信し、または、前記ＵＥにサービングする基地局から送信される切り替え要求またはパス切り替え要求メッセージを受信することと、前記第１ＳＭＦエンティティのＩＤが含まれる前記ＵＥの第１ＰＤＵセッション情報を特定することとをさらに含む。
【００１０】
選択可能に、前記方法において、前記ＵＥの位置情報を前記第１ＳＭＦエンティティに提供することをさらに含む。
【００１１】
選択可能に、前記第１ＳＭＦエンティティは、アンカーポイントＳＭＦエンティティまたは第１中間ＳＭＦエンティティを含む。
【００１２】
選択可能に、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定することは、前記アンカーポイントＳＭＦエンティティから提供される指示情報に基づいて、前記ＵＥが前記アンカーポイントＳＭＦエンティティのサービングエリアから離れると特定し、または、前記ＵＥによるＳＭＦエンティティの選択が必要となると特定すること、または、前記第１中間ＳＭＦエンティティから提供される指示情報に基づいて、前記ＵＥが前記第１中間ＳＭＦエンティティのサービングエリアから離れると特定し、または、前記ＵＥによるＳＭＦエンティティの選択が必要となると特定すること、または、前記第１中間ＳＭＦエンティティから提供される前記第１中間ＳＭＦエンティティのサービングエリア情報と前記ＵＥの位置情報に基づいて、前記ＵＥが前記第１中間ＳＭＦエンティティのサービングエリアから離れると特定し、または、前記ＵＥによるＳＭＦエンティティの選択が必要となると特定することを含む。
【００１３】
選択可能に、前記アンカーポイントＳＭＦエンティティから提供される指示情報は、前記アンカーポイントＳＭＦエンティティによって、前記ＡＭＦエンティティから提供される前記ＵＥの位置情報と前記アンカーポイントＳＭＦエンティティのサービングエリア情報に基づいて特定される。前記第１中間ＳＭＦエンティティから提供される指示情報は、前記第１中間ＳＭＦエンティティによって、前記ＡＭＦエンティティから提供される前記ＵＥの位置情報と前記第１中間ＳＭＦエンティティのサービングエリア情報に基づいて特定される。
【００１４】
選択可能に、前記ＵＥの関連情報を利用し、前記ＵＥにサービング可能な第２ＳＭＦエンティティを問い合わせることは、前記ＵＥの関連情報を利用し、ＮＲＦエンティティを問い合わせ、前記第２ＳＭＦエンティティの情報を取得することと、前記第２ＳＭＦエンティティの情報に基づいて、前記第２ＳＭＦエンティティを特定することとを含む。
【００１５】
選択可能に、前記ＵＥから送信される登録更新要求メッセージを再び受信し、または、前記ＵＥにサービングする基地局から送信される切り替え要求またはパス切り替え要求メッセージを受信すると、前記方法において、前記ＵＥにサービングする第２ＳＭＦエンティティがネットワークに存在すると特定することと、前記第２ＳＭＦエンティティが引き続きサービング可能であるかを判断することとをさらに含む。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする。
【００１６】
選択可能に、前記第１ＰＤＵセッション情報は、前記第１ＰＤＵセッションの所属するネットワークスライシングの情報をさらに含む。
【００１７】
選択可能に、前記ＵＥから送信される登録更新要求メッセージを再び受信し、または、前記ＵＥにサービングする基地局から送信される切り替え要求またはパス切り替え要求メッセージを受信すると、前記方法において、前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定することと、前記第２ＳＭＦエンティティが引き続きサービング可能であるかを判断することとをさらに含む。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする。
【００１８】
選択可能に、前記方法において、前記ＵＥにサービングする第２ＳＭＦエンティティがネットワークに存在すると特定することと、前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートすることとをさらに含む。
【００１９】
選択可能に、前記方法において、前記第１ＰＤＵセッションの所属するネットワークスライシングの情報を特定することと、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定することと、前記ＵＥにサービングする第２ＳＭＦエンティティが前記第１ＰＤＵセッションの所属するネットワークスライシングに存在すると特定することと、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサートすることとをさらに含む。
【００２０】
選択可能に、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせることは、ＮＲＦエンティティから提供される前記第１ＳＭＦエンティティのサービングエリア情報に基づいて、前記ＵＥが前記第１ＳＭＦエンティティのサービングエリアから離れると特定することと、前記ＵＥの関連情報を利用し、前記ＵＥにサービング可能な第２ＳＭＦエンティティを問い合わせることとを含む。
【００２１】
選択可能に、ＮＲＦエンティティから提供される前記第１ＳＭＦエンティティのサービングエリア情報に基づいて、前記ＵＥが前記第１ＳＭＦエンティティのサービングエリアから離れると特定することは、前記ＮＲＦエンティティから提供される前記第１ＳＭＦエンティティのサービングエリア情報を取得して保存することと、前記ＵＥの登録更新プロセス、サービス要求プロセスまたは切り替えプロセスにおいて、前記第１ＳＭＦエンティティのサービングエリア情報に基づいて、前記ＵＥが前記第１ＳＭＦエンティティのサービングエリアから離れると特定することとを含む。
【００２２】
選択可能に、前記ＵＥの関連情報を利用し、前記ＵＥにサービング可能な第２ＳＭＦエンティティを問い合わせることは、前記ＵＥの関連情報を利用し、前記ＮＲＦエンティティを問い合わせ、前記第２ＳＭＦエンティティの情報を取得することと、前記第２ＳＭＦエンティティの情報に基づいて、前記第２ＳＭＦエンティティを特定することとを含む。
【００２３】
選択可能に、前記第２ＳＭＦエンティティの情報は、前記第２ＳＭＦエンティティのサービングエリア情報を含み、前記第２ＳＭＦエンティティの情報に基づいて、前記第２ＳＭＦエンティティを特定した後に、前記方法において、前記第２ＳＭＦエンティティのサービングエリア情報を保存し、前記第１ＳＭＦエンティティのサービングエリア情報を削除することをさらに含む。
【００２４】
第２方面において、本開示の一部実施例は、ＡＭＦエンティティをさらに提供する。当該ＡＭＦエンティティは、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせる問い合わせモジュールと、前記第２ＳＭＦエンティティを利用して第１ＰＤＵセッションを更新する更新モジュールとを含む。
【００２５】
選択可能に、前記問い合わせモジュールは、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定する特定ユニットと、前記ＵＥの関連情報を利用し、前記ＵＥにサービング可能な第２ＳＭＦエンティティを問い合わせる問い合わせユニットとを含む。
【００２６】
選択可能に、前記ＡＭＦエンティティは、前記ＵＥから送信される登録更新要求メッセージを受信し、または、前記ＵＥにサービングする基地局から送信される切り替え要求またはパス切り替え要求メッセージを受信する受信モジュールと、前記第１ＳＭＦエンティティのＩＤが含まれる前記ＵＥの第１ＰＤＵセッション情報を特定する第１特定モジュールとをさらに含む。
【００２７】
選択可能に、前記ＡＭＦエンティティは、前記ＵＥの位置情報を前記第１ＳＭＦエンティティに提供する送信モジュールをさらに含む。
【００２８】
選択可能に、前記第１ＳＭＦエンティティは、アンカーポイントＳＭＦエンティティまたは第１中間ＳＭＦエンティティを含む。
【００２９】
選択可能に、前記特定ユニットは、具体的に、前記アンカーポイントＳＭＦエンティティから提供される指示情報に基づいて、前記ＵＥが前記アンカーポイントＳＭＦエンティティのサービングエリアから離れると特定し、または、前記ＵＥによるＳＭＦエンティティの選択が必要となると特定する。または、前記第１中間ＳＭＦエンティティから提供される指示情報に基づいて、前記ＵＥが前記第１中間ＳＭＦエンティティのサービングエリアから離れると特定し、または、前記ＵＥによるＳＭＦエンティティの選択が必要となると特定する。または、前記第１中間ＳＭＦエンティティから提供される前記第１中間ＳＭＦエンティティのサービングエリア情報と前記ＵＥの位置情報に基づいて、前記ＵＥが前記第１中間ＳＭＦエンティティのサービングエリアから離れると特定し、または、前記ＵＥによるＳＭＦエンティティの選択が必要となると特定する。
【００３０】
選択可能に、前記アンカーポイントＳＭＦエンティティから提供される指示情報は、前記アンカーポイントＳＭＦエンティティによって、前記ＡＭＦエンティティから提供される前記ＵＥの位置情報と前記アンカーポイントＳＭＦエンティティのサービングエリア情報に基づいて特定される。前記第１中間ＳＭＦエンティティから提供される指示情報は、前記第１中間ＳＭＦエンティティによって、前記ＡＭＦエンティティから提供される前記ＵＥの位置情報と前記第１中間ＳＭＦエンティティのサービングエリア情報に基づいて特定される。
【００３１】
選択可能に、前記問い合わせモジュールは、具体的に、前記ＵＥの関連情報を利用し、ＮＲＦエンティティを問い合わせ、前記第２ＳＭＦエンティティの情報を取得し、前記第２ＳＭＦエンティティの情報に基づいて、前記第２ＳＭＦエンティティを特定する。
【００３２】
選択可能に、前記ＡＭＦエンティティは、ＵＥから送信される登録更新要求メッセージを再び受信し、または、前記ＵＥにサービングする基地局から送信される切り替え要求またはパス切り替え要求メッセージを受信すると、前記ＵＥにサービングする第２ＳＭＦエンティティがネットワークに存在すると特定する第２特定モジュールと、前記第２ＳＭＦエンティティが引き続きサービング可能であるかを判断する第１判断モジュールと、前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする第１インサートモジュールと、前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする第２インサートモジュールとをさらに含む。
【００３３】
選択可能に、前記第１ＰＤＵセッション情報は、前記第１ＰＤＵセッションの所属するネットワークスライシングの情報をさらに含む。
【００３４】
選択可能に、前記ＡＭＦエンティティは、前記ＵＥから送信される登録更新要求メッセージを再び受信し、または、前記ＵＥにサービングする基地局から送信される切り替え要求またはパス切り替え要求メッセージを受信すると、前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定する第３特定モジュールと、前記第２ＳＭＦエンティティが引き続きサービング可能であるかを判断する第２判断モジュールと、前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする第３インサートモジュールと、前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする第４インサートモジュールをさらに含む。
【００３５】
選択可能に、前記ＡＭＦエンティティは、前記ＵＥにサービングする第２ＳＭＦエンティティがネットワークに存在すると特定する第４特定モジュールと、前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする第５インサートモジュールとをさらに含む。
【００３６】
選択可能に、前記ＡＭＦエンティティは、前記第１ＰＤＵセッションの所属するネットワークスライシングの情報を特定する第５特定モジュールと、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定する第６特定モジュールと、前記ＵＥにサービングする第２ＳＭＦエンティティが前記第１ＰＤＵセッションの所属するネットワークスライシングに存在すると特定する第７特定モジュールと、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサート第６インサートモジュールとをさらに含む。
【００３７】
第３方面において、本開示の一部実施例は、プロセッサを含むＡＭＦエンティティをさらに提供する。当該プロセッサは、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせ、前記第２ＳＭＦエンティティを利用して前記第１ＰＤＵセッションを更新する。
【００３８】
選択可能に、前記プロセッサは、さらに、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定する特定し、前記ＵＥの関連情報を利用し、前記ＵＥにサービング可能な第２ＳＭＦエンティティを問い合わせる。
【００３９】
選択可能に、前記ＡＭＦエンティティは、前記ＵＥから送信される登録更新要求メッセージを受信し、または、前記ＵＥにサービングする基地局から送信される切り替え要求またはパス切り替え要求メッセージを受信する受信器をさらに含む。前記プロセッサは、さらに、前記第１ＳＭＦエンティティのＩＤが含まれる前記ＵＥの第１ＰＤＵセッション情報を特定する。
【００４０】
選択可能に、前記ＡＭＦエンティティは、前記ＵＥの位置情報を前記第１ＳＭＦエンティティに送信する送信器をさらに含む。
【００４１】
選択可能に、前記第１ＳＭＦエンティティは、アンカーポイントＳＭＦエンティティまたは第１中間ＳＭＦエンティティを含む。
【００４２】
選択可能に、前記プロセッサは、さらに、前記アンカーポイントＳＭＦエンティティから提供される指示情報に基づいて、前記ＵＥが前記アンカーポイントＳＭＦエンティティのサービングエリアから離れると特定し、または、前記ＵＥによるＳＭＦエンティティの選択が必要となると特定する。または、前記第１中間ＳＭＦエンティティから提供される指示情報に基づいて、前記ＵＥが前記第１中間ＳＭＦエンティティのサービングエリアから離れると特定し、または、前記ＵＥによるＳＭＦエンティティの選択が必要となると特定する。または、前記第１中間ＳＭＦエンティティから提供される前記第１中間ＳＭＦエンティティのサービングエリア情報と前記ＵＥの位置情報に基づいて、前記ＵＥが前記第１中間ＳＭＦエンティティのサービングエリアから離れると特定し、または、前記ＵＥによるＳＭＦエンティティの選択が必要となると特定する。
【００４３】
選択可能に、前記アンカーポイントＳＭＦエンティティから提供される指示情報は、前記アンカーポイントＳＭＦエンティティによって、前記ＡＭＦエンティティから提供される前記ＵＥの位置情報と前記アンカーポイントＳＭＦエンティティのサービングエリア情報に基づいて特定される。前記第１中間ＳＭＦエンティティから提供される指示情報は、前記第１中間ＳＭＦエンティティによって、前記ＡＭＦエンティティから提供される前記ＵＥの位置情報と前記第１中間ＳＭＦエンティティのサービングエリア情報に基づいて特定される。
【００４４】
選択可能に、前記プロセッサは、さらに、前記ＵＥの関連情報を利用し、ＮＲＦエンティティを問い合わせ、前記第２ＳＭＦエンティティの情報を取得し、前記第２ＳＭＦエンティティの情報に基づいて、前記第２ＳＭＦエンティティを特定する。
【００４５】
選択可能に、前記プロセッサは、さらに、前記ＵＥから送信される登録更新要求メッセージを再び受信し、または、前記ＵＥにサービングする基地局から送信される切り替え要求またはパス切り替え要求メッセージを受信すると、前記ＵＥにサービングする第２ＳＭＦエンティティがネットワークに存在すると特定し、前記第２ＳＭＦエンティティが引き続きサービング可能であるかを判断する。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする。
【００４６】
選択可能に、前記第１ＰＤＵセッション情報は、前記第１ＰＤＵセッションの所属するネットワークスライシングの情報をさらに含む。
【００４７】
選択可能に、前記プロセッサは、さらに、前記ＵＥから送信される登録更新要求メッセージを再び受信し、または、前記ＵＥにサービングする基地局から送信される切り替え要求またはパス切り替え要求メッセージを受信すると、前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定し、前記第２ＳＭＦエンティティが引き続きサービング可能であるかを判断する。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする。
【００４８】
選択可能に、前記プロセッサは、さらに、前記ＵＥにサービングする第２ＳＭＦエンティティがネットワークに存在すると特定し、前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする。
【００４９】
選択可能に、前記プロセッサは、さらに、前記第１ＰＤＵセッションの所属するネットワークスライシングの情報を特定し、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定し、前記ＵＥにサービングする第２ＳＭＦエンティティが前記第１ＰＤＵセッションの所属するネットワークスライシングに存在すると特定し、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする。
【００５０】
選択可能に、前記プロセッサは、ＮＲＦエンティティから提供される前記第１ＳＭＦエンティティのサービングエリア情報に基づいて、前記ＵＥが前記第１ＳＭＦエンティティのサービングエリアから離れると特定し、前記ＵＥの関連情報を利用し、前記ＵＥにサービング可能な第２ＳＭＦエンティティを問い合わせる。
【００５１】
選択可能に、前記プロセッサは、さらに、前記ＮＲＦエンティティから提供される前記第１ＳＭＦエンティティのサービングエリア情報を取得して保存し、前記ＵＥの登録更新プロセス、サービス要求プロセスまたは切り替えプロセスにおいて、前記第１ＳＭＦエンティティのサービングエリア情報に基づいて、前記ＵＥが前記第１ＳＭＦエンティティのサービングエリアから離れると特定する。
【００５２】
選択可能に、前記プロセッサは、さらに、前記ＵＥの関連情報を利用し、前記ＮＲＦエンティティを問い合わせ、前記第２ＳＭＦエンティティの情報を取得し、前記第２ＳＭＦエンティティの情報に基づいて、前記第２ＳＭＦエンティティを特定する。
【００５３】
選択可能に、前記第２ＳＭＦエンティティの情報は、前記第２ＳＭＦエンティティのサービングエリア情報を含み、前記プロセッサは、さらに、前記第２ＳＭＦエンティティのサービングエリア情報を保存し、前記第１ＳＭＦエンティティのサービングエリア情報を削除する。
【００５４】
第４方面において、本開示は、メモリと、プロセッサと、前記メモリに記憶されて前記プロセッサで実行可能なコンピュータプログラムを含むＡＭＦエンティティをさらに提供する。ここで、前記コンピュータプログラムが前記プロセッサによって実行されると、第１方面に記載のＳＭＦインサート方法のステップが実現される。
【００５５】
第５方面において、本開示は、非揮発性のコンピュータ読み取り可能な記憶媒体をさらに提供し、前記非揮発性のコンピュータ読み取り可能な記憶媒体に記憶されているコンピュータプログラムを含む。ここで、前記コンピュータプログラムがコンピュータプロセッサによって実行されると、前記コンピュータプロセッサは、上記第１方面に記載の方法のステップを実現する。
【発明の効果】
【００５６】
本開示の一部実施例のＳＭＦインサート方法およびＡＭＦエンティティにおいて、ＵＥがＵＥの第１ＰＤＵセッションに現在サービングする第１ＳＭＦエンティティのサービングエリアから離れ、または、ＵＥによるＳＭＦエンティティの選択が必要となる場合、ＵＥの関連情報を利用し、ＵＥにサービング可能な第２ＳＭＦエンティティを問い合わせ、第２ＳＭＦエンティティを利用してＵＥの第１ＰＤＵセッションを更新することによって、ＵＥの位置が更新するたびにＳＭＦエンティティの問い合わせを行うことを避け、ＳＭＦエンティティのＡＭＦエンティティによる頻繁な選択を避け、ＡＭＦエンティティとＳＭＦエンティティのサービングエリアの一致を設定する必要がなく、ＳＭＦエンティティの効果的なインサートを実現する。
【図面の簡単な説明】
【００５７】
本開示の一部実施例の技術手段をより明確に説明するために、以下、本開示の一部実施例に必要とされる図面を簡単に紹介する。明らかに、以下の記載に関する図面は、単に本開示の一部の実施例である。当業者にとって、創造性のある作業をしない前提でこれらの図面から他の図面を得ることもできる。
【００５８】
【図１】本開示のＳＭＦインサート方法のフローチャートである。
【図２】本開示のＳＭＦエンティティインサートプロセスのフローチャートである。
【図３】本開示のＳＭＦエンティティインサートプロセスのフローチャートである。
【図４】本開示のＳＭＦエンティティインサートプロセスのフローチャートである。
【図５】本開示のＳＭＦエンティティインサートプロセスのフローチャートである。
【図６】本開示のＳＭＦエンティティインサートプロセスのフローチャートである。
【図７】本開示のＳＭＦエンティティインサートプロセスのフローチャートである。
【図８】本開示のＳＭＦエンティティインサートプロセスのフローチャートである。
【図９】本開示のＳＭＦエンティティインサートプロセスのフローチャートである。
【図１０】本開示の一部実施例のＡＭＦエンティティの構造図である。
【図１１】本開示の一部実施例のＡＭＦエンティティの構造図である。
【図１２】本開示の一部実施例のＡＭＦエンティティの構造図である。
【図１３】本開示の一部実施例のＡＭＦエンティティの構造図である。
【発明を実施するための形態】
【００５９】
以下、本開示の一部実施例の図面を参照しながら、本開示の一部実施例の技術手段を明確且つ完全に記載する。明らかに、記載される実施例は、本開示の実施例の一部であり、全てではない。本開示の実施例に基づき、当業者が創造性のある作業をせずに為しえる全ての実施例は、すべて本開示の保護範囲に属するものである。
【００６０】
図１に示すように、本開示の一部実施例は、ＳＭＦ（Ｓｅｓｓｉｏｎ  Ｍａｎａｇｅｍｅｎｔ  Ｆｕｎｃｔｉｏｎ）インサート方法を提供する。ＡＭＦ（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）エンティティに応用される当該方法は、以下のステップ１０１〜１０２を含む。
【００６１】
ステップ１０１において、ＵＥ（Ｕｓｅｒ  Ｅｑｕｉｐｍｅｎｔ）がＵＥの第１ＰＤＵ（Ｐａｃｋｅｔ  Ｄａｔａ  Ｕｎｉｔ）セッションに現在サービングする第１ＳＭＦエンティティのサービングエリアから離れ、または、ＵＥによるＳＭＦエンティティの選択が必要となる場合、ＵＥの関連情報を利用し、ＵＥにサービング可能な第２ＳＭＦエンティティを問い合わせる。
【００６２】
ここで、第１ＳＭＦエンティティは、ＵＥのＰＤＵセッションに現在サービングするＳＭＦエンティティであり、少なくともアンカーポイントＳＭＦエンティティを含み、さらに中間ＳＭＦエンティティを含む可能性があり、例えば第１中間ＳＭＦエンティティを含む。第２ＳＭＦエンティティは、問い合わせて得られたＵＥにサービング可能な新規のＳＭＦエンティティであり、たとえば第２中間ＳＭＦエンティティである。中間ＳＭＦエンティティは、ローカルＳＭＦエンティティと称してもよい。
【００６３】
本開示の一部実施例において、ＡＭＦエンティティがステップ１０１を実行するプロセスは、具体的に、第１ＳＭＦエンティティから提供される情報に基づいて、ＵＥが第１ＳＭＦエンティティのサービングエリアから離れると特定し、または、ＵＥによるＳＭＦエンティティの選択が必要となると特定し、ＵＥの関連情報を利用し、ＵＥにサービング可能な第２ＳＭＦエンティティを問い合わせる。
【００６４】
ＡＭＦエンティティがＵＥの関連情報を利用し、ＵＥにサービング可能な第２ＳＭＦエンティティを問い合わせることは、具体的に、ＵＥの関連情報を利用してＮＲＦエンティティを問い合わせ、第２ＳＭＦエンティティの情報を取得し、第２ＳＭＦエンティティの情報に基づいて第２ＳＭＦエンティティを特定する。
【００６５】
ここで、ＵＥの関連情報は、例えばＵＥの関連情報、ＤＮＮ（ｄｉｇｉｔａｌ  ｄａｔａ  ｎｅｔｗｏｒｋ）情報などである。
【００６６】
ステップ１０２において、第２ＳＭＦエンティティを利用して第１ＰＤＵセッションを更新する。
【００６７】
ここで、第２ＳＭＦエンティティは、具体的に、問い合わせて得られたＵＥにサービング可能な新規の中間ＳＭＦエンティティである。ＡＭＦエンティティは、中間ＳＭＦエンティティを利用してＰＤＵセッションを更新する際に、セッション管理要求メッセージを中間ＳＭＦエンティティに送信する。それによって、中間ＳＭＦエンティティは、ＵＥの位置情報に基づいて中間ＵＰＦ（Ｕｓｅｒ  Ｐｌａｎｅ  Ｆｕｎｃｔｉｏｎ）エンティティの選択を行い、ＰＤＵセッションについて中間ＵＰＦエンティティにダウンリンクトンネルを割り当て、または、ダウンリンクトンネルを割り当てるように中間ＵＰＦエンティティに要求し、ＰＤＵ更新要求メッセージをアンカーポイントＳＭＦエンティティに送信する。中間ＳＭＦエンティティから送信されるＰＤＵ更新要求メッセージには、少なくとも、割り当てられるＰＤＵセッションのダウンリンクトンネル情報が付帯される。アンカーポイントＳＭＦエンティティは、ＰＤＵ更新要求メッセージを受信すると、そのうちのダウンリンクトンネル情報に基づいて、アンカーポイントＵＰＦエンティティを設定し、アップリンクトンネル情報を中間ＳＭＦエンティティに返信する。それによって、中間ＳＭＦエンティティは、トンネル設定を完成し、ＰＤＵセッションにインサートする。
【００６８】
このように、ＡＭＦエンティティと中間ＳＭＦエンティティとの間のシグナリングメッセージがアンカーポイントＳＭＦエンティティによって中継されなくてもよく、冗長なシグナリングの伝送および冗長な伝送パスを避け、シグナリングの処理効率が向上する。
【００６９】
本開示の一部実施例のＳＭＦインサート方法において、ＵＥがＵＥの第１ＰＤＵセッションに現在サービングする第１ＳＭＦエンティティのサービングエリアから離れ、または、ＵＥによるＳＭＦエンティティの選択が必要となる場合、ＵＥの関連情報を利用し、ＵＥにサービング可能な第２ＳＭＦエンティティを問い合わせ、第２ＳＭＦエンティティを利用してＵＥの第１ＰＤＵセッションを更新することによって、ＵＥの位置が更新するたびにＳＭＦエンティティの問い合わせを行うことを避け、ＳＭＦエンティティのＡＭＦエンティティによる頻繁な選択を避け、ＡＭＦエンティティとＳＭＦエンティティのサービングエリアの一致を設定する必要がなく、ＳＭＦエンティティの効果的なインサートを実現する。
【００７０】
本開示の一部実施例において、ＡＭＦエンティティは、第１ＳＭＦエンティティから提供される情報に基づいて、ＵＥが第１ＳＭＦエンティティのサービングエリアから離れると特定し、または、ＵＥによるＳＭＦエンティティの選択が必要となると特定するほか、ＮＲＦ（ＮＦ  Ｒｅｐｏｓｉｔｏｒｙ  Ｆｕｎｃｔｉｏｎ）エンティティから提供される第１ＳＭＦエンティティのサービングエリア情報に基づいて、ＵＥが第１ＳＭＦエンティティのサービングエリアから離れると特定してもよい。具体的に、ステップ１０１として、ＮＲＦエンティティから提供される第１ＳＭＦエンティティのサービングエリア情報に基づいて、ＵＥが第１ＳＭＦエンティティのサービングエリアから離れると特定することと、ＵＥの関連情報を利用し、ＵＥにサービング可能な第２ＳＭＦエンティティを問い合わせることとを含む。
【００７１】
ここで、ＮＲＦエンティティから提供される第１ＳＭＦエンティティのサービングエリア情報に基づいて、ＵＥが第１ＳＭＦエンティティのサービングエリアから離れると特定することは、ＮＲＦエンティティから提供される第１ＳＭＦエンティティのサービングエリア情報を取得して保存することと、ＵＥの登録更新プロセス、サービス要求プロセスまたは切り替えプロセスにおいて、当該第１ＳＭＦエンティティのサービングエリア情報に基づいて、ＵＥが第１ＳＭＦエンティティのサービングエリアから離れると特定することとを含む。
【００７２】
さらに、ＵＥの関連情報を利用し、ＵＥにサービング可能な第２ＳＭＦエンティティを問い合わせることは、ＵＥの関連情報を利用し、ＮＲＦエンティティを問い合わせ、第２ＳＭＦエンティティの情報を取得することと、第２ＳＭＦエンティティの情報に基づいて、第２ＳＭＦエンティティを特定することとを含む。
【００７３】
さらに、当該第２ＳＭＦエンティティの情報は、第２ＳＭＦエンティティのサービングエリア情報を含む。後のＰＤＵセッション更新のために、ＡＭＦエンティティは、当該第２ＳＭＦエンティティのサービングエリア情報を保存し、当該第１ＳＭＦエンティティのサービングエリア情報を削除する。
【００７４】
本開示の一部実施例において、ＳＭＦエンティティの選択を頻繁に行うことを避けるために、ＡＭＦエンティティは、ＳＭＦエンティティを選択する際に、選択可能に、ＵＥの登録更新プロセス中に、または、ＵＥにサービングする基地局から送信される切り替え要求またはパス切り替え要求メッセージを受信する際に選択を行う。よって、ステップ１０１の前に、本開示の一部実施例のＳＭＦインサート方法において、ＵＥから送信される登録更新要求メッセージを受信し、または、前記ＵＥにサービングする基地局から送信される切り替え要求またはパス切り替え要求メッセージを受信することと、第１ＳＭＦエンティティのＩＤが含まれるＵＥの第１ＰＤＵセッション情報を特定することとをさらに含む。第１ＰＤＵセッション情報は、第１ＰＤＵセッションに関する情報である。
【００７５】
さらに、第１ＳＭＦエンティティが、ＵＥが自身のサービングエリアから離れるか否か、または、ＵＥによるＳＭＦエンティティの選択が必要であるかの判断ができるよう、ＡＭＦエンティティは、さらにＵＥの位置情報を第１ＳＭＦエンティティに提供する。よって、本開示の一部実施例のＳＭＦインサート方法において、ＵＥの位置情報を第１ＳＭＦエンティティに提供することをさらに含む。
【００７６】
本開示の一部実施例において、ＡＭＦエンティティが、第１ＳＭＦエンティティから提供される情報に基づいて、ＵＥが第１ＳＭＦエンティティのサービングエリアから離れると特定し、または、ＵＥによるＳＭＦエンティティの選択が必要となると特定する方式として、少なくとも以下３つのケースを有する。
【００７７】
ケース１：ＡＭＦエンティティは、アンカーポイントＳＭＦエンティティから提供される指示情報に基づいて、ＵＥがアンカーポイントＳＭＦエンティティのサービングエリアから離れると特定し、または、ＵＥによるＳＭＦエンティティの選択が必要となると特定する。ここで、アンカーポイントＳＭＦエンティティから提供される指示情報は、アンカーポイントＳＭＦエンティティによって、ＡＭＦエンティティから提供されるＵＥの位置情報とアンカーポイントＳＭＦエンティティのサービングエリア情報に基づいて特定される。
【００７８】
ケース２：ＡＭＦエンティティは、第１中間ＳＭＦエンティティから提供される指示情報に基づいて、ＵＥが第１中間ＳＭＦエンティティのサービングエリアから離れると特定し、または、ＵＥによるＳＭＦエンティティの選択が必要となると特定する。ここで、第１中間ＳＭＦエンティティから提供される指示情報は、第１中間ＳＭＦエンティティによって、ＡＭＦエンティティから提供されるＵＥの位置情報と第１中間ＳＭＦエンティティのサービングエリア情報に基づいて特定される。
【００７９】
ケース３：ＡＭＦエンティティは、第１中間ＳＭＦエンティティから提供される第１中間ＳＭＦエンティティのサービングエリア情報とＵＥの位置情報に基づいて、ＵＥが第１中間ＳＭＦエンティティのサービングエリアから離れると特定し、または、ＵＥによるＳＭＦエンティティの選択が必要となると特定する。
【００８０】
本開示の一部実施例において、ＡＭＦエンティティは、ＵＥのＰＤＵセッションを更新する際に、第１ＳＭＦエンティティから提供される情報に基づいて新規の中間ＳＭＦエンティティを再選択するほか、ネットワークに存在する中間ＳＭＦエンティティであってＵＥにサービングする中間ＳＭＦエンティティを再利用してもよい。具体的に、ＡＭＦエンティティが、ＵＥから送信される登録更新要求メッセージを再び受信し、または、前記ＵＥにサービングする基地局から送信される切り替え要求またはパス切り替え要求メッセージを受信すると、本開示の一部実施例のＳＭＦインサート方法において、ＵＥにサービングする第２ＳＭＦエンティティがネットワークに存在すると特定することと、第２ＳＭＦエンティティが引き続きサービング可能であるかを判断することと、第２ＳＭＦエンティティが引き続きサービング可能である場合、第１ＰＤＵセッションのアンカーポイントＳＭＦエンティティと第２ＳＭＦエンティティとは異なると、第２ＳＭＦエンティティを第１ＰＤＵセッションにインサートすることと、第２ＳＭＦエンティティが引き続きサービング不可能である場合、ＵＥにサービング可能な第３ＳＭＦエンティティを問い合わせ、第３ＳＭＦエンティティを第１ＰＤＵセッションにインサートすることとをさらに含む。
【００８１】
また、ＡＭＦエンティティで特定されるＵＥの第１ＰＤＵセッション情報は、第１ＰＤＵセッションの所属するネットワークスライシングの情報をさらに含む。第１ＰＤＵセッション情報には、第１ＰＤＵセッションの所属するネットワークスライシングの情報を含み、かつ、ＡＭＦエンティティが、ＵＥから送信される登録更新要求メッセージを再び受信し、または、前記ＵＥにサービングする基地局から送信される切り替え要求またはパス切り替え要求メッセージを受信すると、本開示の一部実施例のＳＭＦインサート方法において、第１ＰＤＵセッションの所属するネットワークスライシングの情報に基づいて、ＵＥにサービングする第２ＳＭＦエンティティが第１ＰＤＵセッションの所属するネットワークスライシングに存在すると特定することと、第２ＳＭＦエンティティが引き続きサービング可能であるかを判断することと、第２ＳＭＦエンティティが引き続きサービング可能である場合、第１ＰＤＵセッションのアンカーポイントＳＭＦエンティティと第２ＳＭＦエンティティとは異なると、第２ＳＭＦエンティティを第１ＰＤＵセッションにインサートすることと、第２ＳＭＦエンティティが引き続きサービング不可能である場合、ＵＥにサービング可能な第４ＳＭＦエンティティを問い合わせ、第４ＳＭＦエンティティを前記第１ＰＤＵセッションにインサートすることとをさらに含む。
【００８２】
本開示の一部実施例において、中間ＳＭＦエンティティの頻繁なインサートおよびネットワークリソースの無駄遣いを避けるために、ＡＭＦエンティティは、同一ＵＥの異なるＰＤＵセッションのＳＭＦエンティティを再利用してもよい。具体的に、ステップ１０２の後に、本開示の一部実施例のＳＭＦインサート方法において、ＵＥにサービングする第２ＳＭＦエンティティがネットワークに存在すると特定することと、ＵＥがＵＥの第２ＰＤＵセッションに現在サービングする第５ＳＭＦエンティティのサービングエリアから離れ、または、ＵＥによるＳＭＦエンティティの選択が必要となる場合、第２ＳＭＦエンティティを第２ＰＤＵセッションにインサートすることとをさらに含む。
【００８３】
また、ネットワークでスライシングがサポートされる場合、ステップ１０２の後に、本開示の一部実施例のＳＭＦインサート方法において、前記第１ＰＤＵセッションの所属するネットワークスライシングの情報を特定することと、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定することと、前記ＵＥにサービングする第２ＳＭＦエンティティが前記第１ＰＤＵセッションの所属するネットワークスライシングに存在すると特定することと、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサートすることとをさらに含む。
【００８４】
通常、ＵＥの登録更新プロセスにおいて、中間ＳＭＦエンティティのインサートが完成された場合、ＵＥが現在の登録エリアでサービス要求を引き起こすと、ネットワークから当該ＵＥのＰＤＵセッションに対し、中間ＳＭＦのインサートが必要であるかを検査する必要がない。しかし、具体的な実施において、ネットワーク配置の不特定性により、ＵＥのサービス要求プロセスにおいても、ネットワークからＵＥのＰＤＵセッションに対し、中間ＳＭＦのインサートが必要であるかの検査をすることが除外されない。本開示の一部実施例において、ＵＥのサービス要求プロセスにおいて行われる中間ＳＭＦのインサートプロセスと、ＵＥの登録更新プロセスにおいて行われる中間ＳＭＦのインサートプロセスとは、ほぼ同一であり、単にトリガー条件が異なるため、繰り返して記載しない。
【００８５】
以下、図２〜図９を参照して本開示のＳＭＦエンティティインサートプロセスの具体例をそれぞれ説明する。
【００８６】
図２を参照し、本開示のＳＭＦエンティティインサートプロセスのフローチャートである。当該図面では、アンカーポイントＳＭＦエンティティによって、中間ＳＭＦエンティティの選択が必要となると特定してＡＭＦエンティティに指示し、ＵＥによってＳＭＦエンティティインサートプロセスをトリガーする。ＰＤＵセッションの確立プロセスにおいて、アンカーポイントＳＭＦエンティティは、ＵＥの位置情報をＡＭＦエンティティに購読する。図２のＳＭＦエンティティインサートプロセスは、以下のステップ２０１〜２１３を含む。
【００８７】
ステップ２０１において、ＵＥは、現在割り当てられた登録エリアから離れる場合、新規のＲＡＮの基地局によって登録更新要求メッセージをＡＭＦエンティティに送信する。
【００８８】
ステップ２０２において、ＡＭＦエンティティは、ＵＥに確立されたＰＤＵセッション情報に基づいて、ＵＥの現在の位置情報を、各ＰＤＵセッションのアンカーポイントＳＭＦエンティティに報告する。ここで、ＵＥの現在の位置情報は、ＵＥの現在の所在ＴＡＩ（Ｔｒａｃｋｉｎｇ  Ａｒｅａ  Ｉｄｅｎｔｉｔｙ）情報であり、または、ＡＭＦエンティティによってＵＥの現在の所在ＴＡＩに基づいて割り当てられるＴＡＩリスト情報である。
【００８９】
ステップ２０３において、アンカーポイントＳＭＦエンティティは、ＵＥの位置情報と自身のサービングエリア情報に基づいて、ＰＤＵセッションに対し中間ＳＭＦエンティティをインサートする必要があるかを判断する。ここで、ＵＥの現在位置がアンカーポイントＳＭＦエンティティのサービングエリアにない場合、アンカーポイントＳＭＦエンティティは、ＰＤＵセッションに対し中間ＳＭＦエンティティをインサートする必要があると特定するが、そうでなければ、ＰＤＵセッションに対し中間ＳＭＦエンティティをインサートする必要がないと特定する。
【００９０】
ステップ２０４において、アンカーポイントＳＭＦエンティティは、ＰＤＵセッションに対し中間ＳＭＦエンティティをインサートする必要があると特定すると、報告応答メッセージをＡＭＦエンティティに返信する。ここで、報告応答メッセージには、中間ＳＭＦエンティティの選択が必要であるとの指示情報が付帯される。
【００９１】
ステップ２０５において、ＡＭＦエンティティは、指示情報を受信すると、中間ＳＭＦエンティティをＮＲＦエンティティから選択し（ＳＭＦ再選択操作）、選択した中間ＳＭＦエンティティのＩＤを保存する。ここで、ＮＲＦエンティティから中間ＳＭＦエンティティを選択する場合、少なくともＵＥの位置情報を付帯する。ＤＮＮ情報、可能であれば、ＮＳＳＡＩ（Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）やＮＳＩ  ＩＤ（Ｎｅｔｗｏｒｋ  Ｓｌｉｃｅ  Ｉｎｓｔａｎｃｅ  ＩＤ）などのネットワークスライシング情報を付帯してもよい。
【００９２】
ステップ２０６において、ＡＭＦエンティティは、選択した中間ＳＭＦエンティティにセッション管理要求メッセージを送信する。ここで、セッション管理要求メッセージには、少なくとも、ＰＤＵセッションのＩＤ、ＵＥの位置情報、およびアンカーポイントＳＭＦエンティティのＩＤが付帯される。
【００９３】
ステップ２０７において、中間ＳＭＦエンティティは、セッション管理要求メッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【００９４】
ステップ２０８において、中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【００９５】
ステップ２０９において、アンカーポイントＳＭＦエンティティは、ＰＤＵ更新要求メッセージを受信すると、そのうちのダウンリンクトンネル情報に基づいて、アンカーポイントＵＰＦエンティティを設定する（Ｎ４  ｃｏｎｆｉｇｕｒａｔｉｏｎ）。
【００９６】
ステップ２１０において、アンカーポイントＳＭＦエンティティは、ＰＤＵ更新応答メッセージを中間ＳＭＦに返信する。ここで、ＰＤＵ更新応答メッセージには、設定されるアップリンクトンネル情報が付帯される。
【００９７】
ステップ２１１において、中間ＳＭＦエンティティは、アップリンクトンネル設定を行う。
【００９８】
ステップ２１２において、中間ＳＭＦエンティティは、トンネル設定を完成させると、セッション管理応答メッセージをＡＭＦエンティティに返信する。
【００９９】
ステップ２１３において、ＡＭＦエンティティは、新規のＲＡＮの基地局によって登録更新受け入れメッセージをＵＥに返信する。
【０１００】
図３を参照する。図３は、本開示のＳＭＦエンティティインサートプロセスのフローチャートである。当該図面では、アンカーポイントＳＭＦエンティティによって、中間ＳＭＦエンティティの選択が必要となると特定してＡＭＦエンティティに指示し、切り替え要求メッセージを受信すると、中間ＳＭＦインサートを行う。図３に示すＳＭＦエンティティインサートプロセスは、以下のステップ３０１〜３１３を含む。
【０１０１】
ステップ３０１において、ＲＡＮの切り替えプロセスにおいて、元の基地局は、切り替え要求メッセージをＡＭＦエンティティに送信する。
【０１０２】
ステップ３０２において、ＡＭＦエンティティは、切り替え要求メッセージを受信すると、ＵＥに確立されたＰＤＵセッション情報に基づいて、ＰＤＵ切り替え要求メッセージを各ＰＤＵセッションのアンカーポイントＳＭＦエンティティに送信する。ここで、ＰＤＵ切り替え要求メッセージには、ＵＥの現在の位置情報が付帯される。ＵＥの現在の位置情報は、ＵＥの現在の所在ＴＡＩ情報であり、または、ＡＭＦエンティティによってＵＥの現在の所在ＴＡＩに基づいて割り当てられるＴＡＩリスト情報であり、または、現在ＵＥにサービングする５Ｇ  ＲＡＮ（Ｎｅｘｔ  Ｇｅｎｅｒａｔｉｏｎ  Ｒａｄｉｏ  Ａｃｃｅｓｓ  Ｎｅｔｗｏｒｋ：ＧＮ  ＲＡＮ）ノードのＩＤである。
【０１０３】
ステップ３０３において、アンカーポイントＳＭＦエンティティは、ＵＥの位置情報と自身のサービングエリア情報に基づいて、ＰＤＵセッションに対し中間ＳＭＦエンティティをインサートする必要があるかを判断する。ここで、ＵＥの現在位置がアンカーポイントＳＭＦエンティティのサービングエリアにない場合、アンカーポイントＳＭＦエンティティは、ＰＤＵセッションに対し中間ＳＭＦエンティティをインサートする必要があると特定するが、そうでなければ、ＰＤＵセッションに対し中間ＳＭＦエンティティをインサートする必要がないと特定する。
【０１０４】
ステップ３０４において、アンカーポイントＳＭＦエンティティは、ＰＤＵセッションに対し中間ＳＭＦエンティティをインサートする必要があると特定すると、ＰＤＵ切り替え応答メッセージをＡＭＦエンティティに返信する。ここで、ＰＤＵ切り替え応答メッセージには、中間ＳＭＦエンティティの選択が必要であるとの指示情報が付帯される。
【０１０５】
ステップ３０５において、ＡＭＦエンティティは、指示情報を受信すると、中間ＳＭＦエンティティをＮＲＦエンティティから選択し（ＳＭＦ再選択操作）、選択した中間ＳＭＦエンティティのＩＤを保存する。ここで、ＮＲＦエンティティから中間ＳＭＦエンティティを選択する場合、少なくともＵＥの位置情報を付帯する。ＤＮＮ情報、可能であれば、ＮＳＳＡＩやＮＳＩ  ＩＤなどのネットワークスライシング情報を付帯してもよい。
【０１０６】
ステップ３０６において、ＡＭＦエンティティは、選択した中間ＳＭＦエンティティにＰＤＵ切り替え要求メッセージを送信する。ここで、ＰＤＵ切り替え要求メッセージには、少なくとも、ＰＤＵセッションのＩＤ、ＵＥの位置情報、およびアンカーポイントＳＭＦエンティティのＩＤが付帯される。
【０１０７】
ステップ３０７において、中間ＳＭＦエンティティは、ＰＤＵ切り替え要求メッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【０１０８】
ステップ３０８において、中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【０１０９】
ステップ３０９において、アンカーポイントＳＭＦエンティティは、ＰＤＵ更新要求メッセージを受信すると、そのうちのダウンリンクトンネル情報に基づいて、アンカーポイントＵＰＦエンティティを設定する（すなわちＮ４設定を行う）。
【０１１０】
ステップ３１０において、アンカーポイントＳＭＦエンティティは、ＰＤＵ更新応答メッセージを中間ＳＭＦに返信する。ここで、ＰＤＵ更新応答メッセージには、設定されるアップリンクトンネル情報が付帯される。
【０１１１】
ステップ３１１において、中間ＳＭＦエンティティは、アップリンクトンネル設定を行う。
【０１１２】
ステップ３１２において、中間ＳＭＦエンティティは、トンネル設定を完成させると、ＰＤＵ切り替え応答メッセージをＡＭＦエンティティに返信する。ここで、ＰＤＵ切り替え応答メッセージには、割り当てられるアップリンクＮ３トンネル情報が付帯される。
【０１１３】
ステップ３１３において、ＡＭＦエンティティは、新規のＮＧ  ＲＡＮノードに切り替え応答メッセージを送信する。ここで、切り替え応答メッセージには、アップリンクＮ３トンネル情報が付帯される。
【０１１４】
図４を参照する。図４は、本開示のＳＭＦエンティティインサートプロセスのフローチャートである。当該図面では、元のＮＧ  ＲＡＮと目標ＮＧ  ＲＡＮとはＸｎインタフェースに基づいて切り替えを行い、アンカーポイントＳＭＦエンティティによって、中間ＳＭＦエンティティの選択が必要となると特定してＡＭＦエンティティに指示し、Ｎ２パス切り替え要求メッセージを受信すると、中間ＳＭＦインサートを行う。図４のＳＭＦエンティティインサートプロセスは、以下のステップ４０１〜４１３を含む。
【０１１５】
ステップ４０１において、Ｘｎインタフェースに基づく切り替えプロセスにおいて、目標基地局は、Ｎ２パス切り替え要求メッセージをＡＭＦエンティティに送信する。
【０１１６】
ステップ４０２において、ＡＭＦエンティティは、Ｎ２パス切り替え要求メッセージを受信すると、ＵＥに確立されたＰＤＵセッション情報に基づいて、Ｎ１１インタフェースのメッセージを各ＰＤＵセッションのアンカーポイントＳＭＦエンティティに送信する。ＵＥの現在の位置情報が付帯される。ＵＥの現在の位置情報は、ＵＥの現在の所在ＴＡＩ情報であり、または、ＡＭＦエンティティによってＵＥの現在の所在ＴＡＩに基づいて割り当てられるＴＡＩリスト情報であり、または、現在ＵＥにサービングするＮＧ  ＲＡＮノードのＩＤである。
【０１１７】
ステップ４０３において、アンカーポイントＳＭＦエンティティは、ＵＥの位置情報と自身のサービングエリア情報に基づいて、ＰＤＵセッションに対し中間ＳＭＦエンティティをインサートする必要があるかを判断する。ここで、ＵＥの現在位置がアンカーポイントＳＭＦエンティティのサービングエリアにない場合、アンカーポイントＳＭＦエンティティは、ＰＤＵセッションに対し中間ＳＭＦエンティティをインサートする必要があると特定するが、そうでなければ、ＰＤＵセッションに対し中間ＳＭＦエンティティをインサートする必要がないと特定する。
【０１１８】
ステップ４０４において、アンカーポイントＳＭＦエンティティは、ＰＤＵセッションに対し中間ＳＭＦエンティティをインサートする必要があると特定すると、Ｎ１１インタフェース応答メッセージをＡＭＦエンティティに返信する。ここで、応答メッセージには、中間ＳＭＦエンティティの選択が必要であるとの指示情報が付帯される。
【０１１９】
ステップ４０５において、ＡＭＦエンティティは、指示情報を受信すると、中間ＳＭＦエンティティをＮＲＦエンティティから選択し（ＳＭＦ再選択操作）、選択した中間ＳＭＦエンティティのＩＤを保存する。ここで、ＮＲＦエンティティから中間ＳＭＦエンティティを選択する場合、少なくともＵＥの位置情報を付帯する。ＤＮＮ情報、可能であれば、ＮＳＳＡＩやＮＳＩ  ＩＤなどのネットワークスライシング情報を付帯してもよい。
【０１２０】
ステップ４０６において、ＡＭＦエンティティは、選択した中間ＳＭＦエンティティにＮ１１インタフェースメッセージを送信する。ここで、Ｎ１１インタフェースメッセージには、少なくとも、ＰＤＵセッションのＩＤ、ＵＥの位置情報、およびアンカーポイントＳＭＦエンティティのＩＤが付帯される。
【０１２１】
ステップ４０７において、中間ＳＭＦエンティティは、Ｎ１１インタフェースメッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【０１２２】
ステップ４０８において、中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【０１２３】
ステップ４０９において、アンカーポイントＳＭＦエンティティは、ＰＤＵ更新要求メッセージを受信すると、そのうちのダウンリンクトンネル情報に基づいて、アンカーポイントＵＰＦエンティティを設定する（すなわちＮ４設定を行う）。
【０１２４】
ステップ４１０において、アンカーポイントＳＭＦエンティティは、ＰＤＵ更新応答メッセージを中間ＳＭＦに返信する。ここで、ＰＤＵ更新応答メッセージには、設定されるアップリンクトンネル情報が付帯される。
【０１２５】
ステップ４１１において、中間ＳＭＦエンティティは、アップリンクトンネル設定を行う。
【０１２６】
ステップ４１２において、中間ＳＭＦエンティティは、トンネル設定を完成させると、Ｎ１１インタフェース応答メッセージをＡＭＦエンティティに返信する。ここで、Ｎ１１インタフェース応答メッセージには、割り当てられるアップリンクＮ３トンネル情報が付帯される。
【０１２７】
ステップ４１３において、ＡＭＦエンティティは、新規のＮＧ  ＲＡＮノードにＮ２パス切り替え応答メッセージを送信する。ここで、Ｎ２パス切り替え応答メッセージには、アップリンクＮ３トンネル情報が付帯される。
【０１２８】
上記の図２〜図４において、アンカーポイントＳＭＦエンティティによって中間ＳＭＦエンティティの選択が必要であると特定するが、この方式以外に、以下の図５〜図７のように、元の中間ＳＭＦエンティティによって中間ＳＭＦエンティティの再選択が必要であると特定してもよい。
【０１２９】
図５を参照する。図５は、本開示のＳＭＦエンティティインサートプロセスのフローチャートである。当該図面では、元の中間ＳＭＦエンティティによって、新規の中間ＳＭＦエンティティの選択が必要となると特定してＡＭＦエンティティに指示し、ＵＥによってＳＭＦエンティティインサートプロセスをトリガーする。図５のＳＭＦエンティティインサートプロセスは、以下のステップ５０１〜５１５を含む。
【０１３０】
ステップ５０１において、ＵＥは、現在割り当てられた登録エリアから離れる場合、登録更新要求メッセージをＡＭＦエンティティに送信する。
【０１３１】
ステップ５０２において、ＡＭＦエンティティは、ＵＥの現在の位置情報をＰＤＵセッションの中間ＳＭＦエンティティ、すなわち元の中間ＳＭＦエンティティに報告する。ここで、ＡＭＦエンティティは、当該ＰＤＵセッションの元の中間ＳＭＦエンティティのＩＤとアンカーポイントＳＭＦエンティティのＩＤを保存してある。ＵＥの現在の位置情報は、ＵＥの現在の所在ＴＡＩ情報であり、または、ＡＭＦエンティティによってＵＥの現在の所在ＴＡＩに基づいて割り当てられるＴＡＩリスト情報である。
【０１３２】
ステップ５０３において、元の中間ＳＭＦエンティティは、ＵＥの位置情報と自身のサービングエリア情報に基づいて、中間ＳＭＦエンティティの更新が必要であるかを判断する。ここで、ＵＥの現在位置が元の中間ＳＭＦエンティティのサービングエリアにない場合、元の中間ＳＭＦエンティティは、ＰＤＵセッションに対し中間ＳＭＦエンティティを再選択する必要があると特定するが、そうでなければ、ＰＤＵセッションに対し中間ＳＭＦエンティティを再選択する必要がないと特定する。
【０１３３】
ステップ５０４において、元の中間ＳＭＦエンティティは、ＰＤＵセッションに対し中間ＳＭＦエンティティを再選択する必要があると特定すると、報告応答メッセージをＡＭＦエンティティに返信する。ここで、報告応答メッセージには、中間ＳＭＦエンティティの再選択が必要であるとの指示情報が付帯される。
【０１３４】
ステップ５０５において、ＡＭＦエンティティは、指示情報を受信すると、ＳＭＦエンティティをＮＲＦエンティティから選択し（ＳＭＦ再選択操作）、選択したＳＭＦエンティティのＩＤを保存する。ここで、ＮＲＦエンティティからＳＭＦエンティティを選択する場合、少なくともＵＥの位置情報を付帯する。ＤＮＮ情報、可能であれば、ＮＳＳＡＩやＮＳＩ  ＩＤなどのネットワークスライシング情報を付帯してもよい。
【０１３５】
ＮＲＦエンティティから返信されるＳＭＦエンティティのＩＤがアンカーポイントＳＭＦエンティティのＩＤではなく、新規の中間ＳＭＦエンティティのＩＤであると、ＡＭＦエンティティは、当該ＰＤＵセッションに対し中間ＳＭＦエンティティを更新する必要があると特定し、ステップ５０６〜ステップ５１２を実行する。
【０１３６】
ステップ５０６において、ＡＭＦエンティティは、新規の中間ＳＭＦエンティティにセッション管理要求メッセージを送信する。ここで、セッション管理要求メッセージには、少なくとも、ＰＤＵセッションのＩＤ、ＵＥの位置情報、およびアンカーポイントＳＭＦエンティティのＩＤが付帯される。
【０１３７】
ステップ５０７において、新規の中間ＳＭＦエンティティは、セッション管理要求メッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【０１３８】
ステップ５０８において、新規の中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【０１３９】
ステップ５０９において、アンカーポイントＳＭＦエンティティは、ＰＤＵ更新要求メッセージを受信すると、そのうちのダウンリンクトンネル情報に基づいて、アップリンク／ダウンリンクトンネル設定を行い、アンカーポイントＵＰＦエンティティを設定する。
【０１４０】
ステップ５１０において、アンカーポイントＳＭＦエンティティは、ＰＤＵ更新応答メッセージを新規の中間ＳＭＦに返信する。ここで、ＰＤＵ更新応答メッセージには、設定されるアップリンクトンネル情報が付帯される。
【０１４１】
ステップ５１１において、新規の中間ＳＭＦエンティティは、アップリンクトンネル設定を行う。
【０１４２】
ステップ５１２において、新規の中間ＳＭＦエンティティは、トンネル設定を完成させると、セッション管理応答メッセージをＡＭＦエンティティに返信する。ＡＭＦエンティティは、セッション管理応答メッセージを受信すると、当該ＰＤＵセッションの制御プレーンとユーザプレーンの接続を削除するように元の中間ＳＭＦエンティティに要求する。
【０１４３】
ＮＲＦエンティティから返信されるＳＭＦエンティティのＩＤがアンカーポイントＳＭＦエンティティのＩＤであると、ＡＭＦエンティティは、当該ＰＤＵセッションに対し中間ＳＭＦエンティティをインサートする必要がないと特定し、ステップ５１３〜ステップ５１４を実行する。
【０１４４】
ステップ５１３において、ＡＭＦエンティティは、セッション管理要求メッセージをアンカーポイントＳＭＦエンティティに送信し、元の中間ＳＭＦエンティティのキャンセルを要求する。ここで、セッション管理要求メッセージには、元の中間ＳＭＦエンティティのキャンセルを要求するための指示情報が付帯される。
【０１４５】
ステップ５１４において、アンカーポイントＳＭＦエンティティは、指示情報を受信すると、中間ＵＰＦエンティティとのトンネルを削除し、セッション管理応答メッセージをＡＭＦエンティティに返信する。ＡＭＦエンティティは、セッション管理応答メッセージを受信すると、当該ＰＤＵセッションの制御プレーンとユーザプレーンの接続を削除するように元の中間ＳＭＦエンティティに要求する。
【０１４６】
ステップ５１５において、ＡＭＦエンティティは、登録更新受け入れメッセージをＵＥに返信する。
【０１４７】
図６を参照する。図６は、本開示のＳＭＦエンティティインサートプロセスのフローチャートである。当該図面では、元の中間ＳＭＦエンティティによって、新規の中間ＳＭＦエンティティの選択が必要となると特定してＡＭＦエンティティに指示し、切り替え要求メッセージを受信すると、中間ＳＭＦの再選択を行う。図６のＳＭＦエンティティインサートプロセスは、以下のステップ６０１〜６１３を含む。
【０１４８】
ステップ６０１において、ＲＡＮの切り替えプロセスにおいて、元の基地局は、切り替え要求メッセージをＡＭＦエンティティに送信する。
【０１４９】
ステップ６０２において、ＡＭＦエンティティは、切り替え要求メッセージを受信すると、ＵＥに確立されたＰＤＵセッション情報に基づいて、ＰＤＵ切り替え要求メッセージを各ＰＤＵセッションの元の中間ＳＭＦエンティティに送信する。ここで、ＰＤＵ切り替え要求メッセージには、ＵＥの現在の位置情報が付帯される。ＵＥの現在の位置情報は、ＵＥの現在の所在ＴＡＩ情報であり、または、ＡＭＦエンティティによってＵＥの現在の所在ＴＡＩに基づいて割り当てられるＴＡＩリスト情報であり、または、現在ＵＥにサービングするＮＧ  ＲＡＮノードのＩＤである。
【０１５０】
ステップ６０３において、元の中間ＳＭＦエンティティは、ＵＥの位置情報と自身のサービングエリア情報に基づいて、ＰＤＵセッションに対し中間ＳＭＦエンティティをインサートする必要があるかを判断する。ここで、ＵＥの現在位置が元の中間ＳＭＦエンティティのサービングエリアにない場合、元の中間ＳＭＦエンティティは、ＰＤＵセッションに対し中間ＳＭＦエンティティをインサートする必要があると特定するが、そうでなければ、ＰＤＵセッションに対し中間ＳＭＦエンティティをインサートする必要がないと特定する。
【０１５１】
ステップ６０４において、元の中間ＳＭＦエンティティは、ＰＤＵセッションに対し中間ＳＭＦエンティティをインサートする必要があると特定すると、ＰＤＵ切り替え応答メッセージをＡＭＦエンティティに返信する。ここで、ＰＤＵ切り替え応答メッセージには、中間ＳＭＦエンティティの選択が必要であるとの指示情報が付帯される。
【０１５２】
ステップ６０５において、ＡＭＦエンティティは、指示情報を受信すると、新規の中間ＳＭＦエンティティをＮＲＦエンティティから選択し（ＳＭＦ再選択操作）、選択した新規の中間ＳＭＦエンティティのＩＤを保存する。ここで、ＮＲＦエンティティから中間ＳＭＦエンティティを選択する場合、少なくともＵＥの位置情報を付帯する。ＤＮＮ情報、可能であれば、ＮＳＳＡＩやＮＳＩ  ＩＤなどのネットワークスライシング情報を付帯してもよい。
【０１５３】
ステップ６０６において、ＡＭＦエンティティは、選択した新規の中間ＳＭＦエンティティにＰＤＵ切り替え要求メッセージを送信する。ここで、ＰＤＵ切り替え要求メッセージには、少なくとも、ＰＤＵセッションのＩＤ、ＵＥの位置情報、およびアンカーポイントＳＭＦエンティティのＩＤが付帯される。
【０１５４】
ステップ６０７において、新規の中間ＳＭＦエンティティは、ＰＤＵ切り替え要求メッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【０１５５】
ステップ６０８において、新規の中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【０１５６】
ステップ６０９において、アンカーポイントＳＭＦエンティティは、ＰＤＵ更新要求メッセージを受信すると、そのうちのダウンリンクトンネル情報に基づいて、アンカーポイントＵＰＦエンティティを設定する（すなわちＮ４設定を行う）。
【０１５７】
ステップ６１０において、アンカーポイントＳＭＦエンティティは、ＰＤＵ更新応答メッセージを新規の中間ＳＭＦに返信する。ここで、ＰＤＵ更新応答メッセージには、設定されるアップリンクトンネル情報が付帯される。
【０１５８】
ステップ６１１において、新規の中間ＳＭＦエンティティは、アップリンクトンネル設定を行う。
【０１５９】
ステップ６１２において、新規の中間ＳＭＦエンティティは、トンネル設定を完成させると、ＰＤＵ切り替え応答メッセージをＡＭＦエンティティに返信する。ここで、ＰＤＵ切り替え応答メッセージには、割り当てられるアップリンクＮ３トンネル情報が付帯される。
【０１６０】
ステップ６１３において、ＡＭＦエンティティは、新規のＮＧ  ＲＡＮノードに切り替え応答メッセージを送信する。ここで、切り替え応答メッセージには、アップリンクＮ３トンネル情報が付帯される。
【０１６１】
図７を参照する。図７は、本開示のＳＭＦエンティティインサートプロセスのフローチャートである。当該図面では、元のＮＧ  ＲＡＮと目標ＮＧ  ＲＡＮとはＸｎインタフェースに基づいて切り替えを行い、元の中間ＳＭＦエンティティによって、新規の中間ＳＭＦエンティティの選択が必要となると特定してＡＭＦエンティティに指示し、Ｎ２パス切り替え要求メッセージを受信すると、中間ＳＭＦエンティティの再選択を行う。図７のＳＭＦエンティティインサートプロセスは、以下のステップ７０１〜７１３を含む。
【０１６２】
ステップ７０１において、Ｘｎインタフェースに基づく切り替えプロセスにおいて、目標基地局は、Ｎ２パス切り替え要求メッセージをＡＭＦエンティティに送信する。
【０１６３】
ステップ７０２において、ＡＭＦエンティティは、Ｎ２パス切り替え要求メッセージを受信すると、ＵＥに確立されたＰＤＵセッション情報に基づいて、Ｎ１１インタフェースのメッセージを各ＰＤＵセッションの元の中間ＳＭＦエンティティに送信する。ＵＥの現在の位置情報が付帯される。ＵＥの現在の位置情報は、ＵＥの現在の所在ＴＡＩ情報であり、または、ＡＭＦエンティティによってＵＥの現在の所在ＴＡＩに基づいて割り当てられるＴＡＩリスト情報であり、または、現在ＵＥにサービングするＮＧ  ＲＡＮノードのＩＤである。
【０１６４】
ステップ７０３において、元の中間ＳＭＦエンティティは、ＵＥの位置情報と自身のサービングエリア情報に基づいて、ＰＤＵセッションに対し中間ＳＭＦエンティティをインサートする必要があるかを判断する。ここで、ＵＥの現在位置がアンカーポイントＳＭＦエンティティのサービングエリアにない場合、アンカーポイントＳＭＦエンティティは、ＰＤＵセッションに対し中間ＳＭＦエンティティをインサートする必要があると特定するが、そうでなければ、ＰＤＵセッションに対し中間ＳＭＦエンティティをインサートする必要がないと特定する。
【０１６５】
ステップ７０４において、元の中間ＳＭＦエンティティは、ＰＤＵセッションに対し中間ＳＭＦエンティティをインサートする必要があると特定すると、Ｎ１１インタフェース応答メッセージをＡＭＦエンティティに返信する。ここで、応答メッセージには、中間ＳＭＦエンティティの選択が必要であるとの指示情報が付帯される。
【０１６６】
ステップ７０５において、ＡＭＦエンティティは、指示情報を受信すると、新規の中間ＳＭＦエンティティをＮＲＦエンティティから選択し（ＳＭＦ再選択操作）、選択した新規の中間ＳＭＦエンティティのＩＤを保存する。ここで、ＮＲＦエンティティから中間ＳＭＦエンティティを選択する場合、少なくともＵＥの位置情報を付帯する。ＤＮＮ情報、可能であれば、ＮＳＳＡＩやＮＳＩ  ＩＤなどのネットワークスライシング情報を付帯してもよい。
【０１６７】
ステップ７０６において、ＡＭＦエンティティは、選択した新規の中間ＳＭＦエンティティにＮ１１インタフェースメッセージを送信する。ここで、Ｎ１１インタフェースメッセージには、少なくとも、ＰＤＵセッションのＩＤ、ＵＥの位置情報、およびアンカーポイントＳＭＦエンティティのＩＤが付帯される。
【０１６８】
ステップ７０７において、新規の中間ＳＭＦエンティティは、Ｎ１１インタフェースメッセージを受信すると、ＵＥの位置情報に基づいて中間ＵＰＦエンティティの選択を行い、ＰＤＵセッションについて、ダウンリンクトンネルを中間ＵＰＦエンティティに割り当て、または、ダウンリンクトンネルを割り当てるように中間ＵＰＦエンティティに要求する。
【０１６９】
ステップ７０８において、新規の中間ＳＭＦエンティティは、ＰＤＵ更新要求メッセージをアンカーポイントＳＭＦエンティティに送信する。ここで、ＰＤＵ更新要求メッセージには、割り当てられるＰＤＵセッションのダウンリンクトンネル情報が付帯される。
【０１７０】
ステップ７０９において、アンカーポイントＳＭＦエンティティは、ＰＤＵ更新要求メッセージを受信すると、そのうちのダウンリンクトンネル情報に基づいて、アンカーポイントＵＰＦエンティティを設定する（すなわちＮ４設定を行う）。
【０１７１】
ステップ７１０において、アンカーポイントＳＭＦエンティティは、ＰＤＵ更新応答メッセージを新規の中間ＳＭＦに返信する。ここで、ＰＤＵ更新応答メッセージには、設定されるアップリンクトンネル情報が付帯される。
【０１７２】
ステップ７１１において、新規の中間ＳＭＦエンティティは、アップリンクトンネル設定を行う。
【０１７３】
ステップ７１２において、新規の中間ＳＭＦエンティティは、トンネル設定を完成させると、Ｎ１１インタフェース応答メッセージをＡＭＦエンティティに返信する。ここで、Ｎ１１インタフェース応答メッセージには、割り当てられるアップリンクＮ３トンネル情報が付帯される。
【０１７４】
ステップ７１３において、ＡＭＦエンティティは、新規のＮＧ  ＲＡＮノードにＮ２パス切り替え応答メッセージを送信する。ここで、Ｎ２パス切り替え応答メッセージには、アップリンクＮ３トンネル情報が付帯される。
【０１７５】
上記の図２〜図７において、ＰＤＵセッションに対し中間ＳＭＦエンティティを再選択することを説明したが、この方式以外に、図８のように、選択済みの中間ＳＭＦエンティティを再利用してもよい。
【０１７６】
図８を参照する。図８は、本開示のＳＭＦエンティティインサートプロセスのフローチャートである。当該図面では、選択済みの中間ＳＭＦエンティティを再利用し、ＵＥコンテキストに保存されるＰＤＵセッションのＩＤに対応するＳ−ＮＳＳＡＩ（Ｓｉｎｇｌｅ  Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）またはＮＳＩ  ＩＤ（Ｎｅｔｗｏｒｋ  Ｓｌｉｃｅ  Ｉｎｓｔａｎｃｅ  ＩＤ）に基づいて、各ＰＤＵセッションの所属するネットワークスライシングを特定する。図８のＳＭＦエンティティインサートプロセスは、以下のステップ８０１〜８１０を含む。
【０１７７】
ステップ８０１において、ＡＭＦエンティティは、ＵＥが現在割り当てられる登録エリアから離れる際に送信される登録更新要求メッセージを受信する。
【０１７８】
ステップ８０２において、ＡＭＦエンティティは、現在のネットワークにおいてスライシングがサポートされるか否かを判断する。
【０１７９】
ステップ８０３において、現在のネットワークにおいてスライシングがサポートされない場合、ＡＭＦエンティティは、ＵＥにサービングする中間ＳＭＦエンティティが現在のネットワークに存在するかを判断する。存在すればステップ８０６を実行するが、それ以外の場合ステップ８１０を実行する。
【０１８０】
ステップ８０４において、現在のネットワークにおいてスライシングがサポートされる場合、ＡＭＦエンティティは、ＵＥのＰＤＵセッションの所属するネットワークスライシング情報を特定し、ネットワークスライシング情報に基づいて、ＰＤＵセッションの所属するネットワークスライシングを特定する。ここで、ネットワークスライシング情報は、具体的に、Ｓ−ＮＳＳＡＩまたはＮＳＩ  ＩＤである。
【０１８１】
ステップ８０５において、ＡＭＦエンティティは、ＵＥにサービングする中間ＳＭＦエンティティがＰＤＵセッションの所属するネットワークスライシングに存在するかを判断する。存在すればステップ８０６を実行するが、それ以外の場合ステップ８１０を実行する。
【０１８２】
ステップ８０６において、ＡＭＦエンティティは、さらに、当該中間ＳＭＦエンティティがＵＥに引き続きサービング可能であるかを判断する。ここで、ＡＭＦエンティティは、２種類の方法によって、中間ＳＭＦエンティティがＵＥに引き続きサービング可能であるかを判断する。
【０１８３】
方法１として、ＡＭＦエンティティは、中間ＳＭＦエンティティに対し、そのサービングエリアをＡＭＦエンティティに提供するように要求する。このように、ＡＭＦエンティティは、ＵＥの現在の位置が中間ＳＭＦエンティティのサービングエリア内にあることに基づいて、中間ＳＭＦエンティティがＵＥに引き続きサービング可能であると判断し、それ以外の場合、引き続きサービング不可能と特定する。
【０１８４】
方法２として、ＡＭＦエンティティは、ＵＥの位置情報を中間ＳＭＦエンティティに送信し、中間ＳＭＦエンティティによって、ＵＥの現在の位置が中間ＳＭＦエンティティのサービングエリア内になることに基づいて、中間ＳＭＦエンティティがＵＥに引き続きサービング可能であると判断し、それ以外の場合、引き続きサービング不可能と特定する。中間ＳＭＦエンティティは、特定結果をＡＭＦエンティティに返信する。
【０１８５】
ステップ８０７において、中間ＳＭＦエンティティがＵＥに引き続きサービング可能であれば、ＡＭＦエンティティは、さらに、中間ＳＭＦエンティティと、対応するＰＤＵセッションのアンカーポイントＳＭＦエンティティとは同一であるかを判断する。
【０１８６】
ステップ８０８において、同一であれば、ＰＤＵセッションに対し中間ＳＭＦエンティティをインサートする必要がない。
【０１８７】
ステップ８０９において、異なるのであれば、ＡＭＦエンティティは、中間ＳＭＦエンティティをＰＤＵセッションにインサートする。
【０１８８】
ステップ８１０において、中間ＳＭＦエンティティがＵＥに引き続きサービング不可能であれば、ＡＭＦエンティティは、ＵＥの位置情報を利用し、現在のネットワークにおいてスライシングがサポートされるのであれば、対応するネットワークスライシング情報も利用して、ＮＲＦエンティティを問い合わせて新規の中間ＳＭＦエンティティを取得し、新規の中間ＳＭＦエンティティをＰＤＵセッションにインサートする。ここで、ＡＭＦエンティティがＮＲＦエンティティを問い合わせてアンカーポイントＳＭＦエンティティを取得するのであれば、ＵＥに関して中間ＳＭＦエンティティをインサートする必要がない。
【０１８９】
図９を参照する。図９は、本開示のＳＭＦエンティティインサートプロセスのフローチャートである。当該図面では、ＡＭＦエンティティは、ＮＲＦエンティティから提供されるＳＭＦエンティティのサービングエリア情報に基づいて、ＵＥが対応するサービングエリアから離れると特定する。図９のＳＭＦエンティティインサートプロセスは、以下のステップ９０１〜９０７を含む。
【０１９０】
ステップ９０１において、ＰＤＵセッションの確立プロセスにおいて、ＵＥは、新規のＮＧ  ＲＡＮによってＰＤＵセッション確立要求メッセージをＡＭＦエンティティに送信する。
【０１９１】
ステップ９０２において、ＡＭＦエンティティは、ＰＤＵセッション確立要求メッセージを受信すると、ＵＥの位置、ＤＮＮなどの情報に基づいて、ＳＭＦ（ＰＤＵセッションのアンカーポイントとして）の選択を行う。具体的に、ＡＭＦは、ＮＲＦエンティティを問い合わせ、適切なＳＭＦおよび当該ＳＭＦのサービングエリアを取得する。
【０１９２】
ステップ９０３において、ＡＭＦエンティティは、ＮＲＦエンティティから取得したＳＭＦおよびそのサービングエリアを保存し、当該ＳＭＦを利用してＰＤＵセッションの確立を完成する。
【０１９３】
ステップ９０４において、後に、ＵＥは、移動して登録更新（Ｒｅｇｉｓｔｒａｔｉｏｎ  Ｒｅｑｕｅｓｔ）プロセスを引き起こし、または、待機状態のＵＥは、サービス要求（Ｓｅｒｖｉｃｅ  Ｒｅｑｕｅｓｔ）プロセスを引き起こし、または、切り替えプロセス（図示せず）を引き起こす。
【０１９４】
ステップ９０５において、上記のＵＥによって引き起こされるプロセスにおいて、ＵＥの各ＰＤＵセッション毎またはユーザプレーン毎に活性化されるＰＤＵセッションに対し、ＡＭＦエンティティは、ＵＥの現在の位置、および、保存中のＰＤＵセッションにサービングするＳＭＦのサービングエリアに基づいて、ＵＥが現在のＳＭＦのサービングエリアから離れるかを特定する。ＵＥが現在のＳＭＦのサービングエリアから離れたのであれば、ＡＭＦエンティティは、ＵＥの位置、ＤＮＮなどの情報を利用し、再びＮＲＦエンティティを問い合わせ、ＰＤＵセッションにサービングする新規のＳＭＦを取得し、ＮＲＦエンティティから新規のＳＭＦ情報および当該ＳＭＦのサービングエリアを返信する。
【０１９５】
ステップ９０６において、ＡＭＦエンティティが、新規のＳＭＦとＰＤＵセッションのアンカーポイントＳＭＦとは異なると発見し、かつ当該ＰＤＵセッションに対し中間ＳＭＦ情報を保存しなかった場合、ＡＭＦエンティティは、新規に取得したＳＭＦを中間ＳＭＦとして当該ＰＤＵセッションにインサートし、当該中間ＳＭＦおよびそのサービングエリアを保存する。または、ＡＭＦエンティティが、新規のＳＭＦとＰＤＵセッションのアンカーポイントＳＭＦとは異なると発見し、かつ当該ＰＤＵセッションに対し中間ＳＭＦ情報を保存してある場合、ＡＭＦエンティティは、新規に取得したＳＭＦを中間ＳＭＦとして当該ＰＤＵセッションの元の中間ＳＭＦを置換し、新規の中間ＳＭＦおよびそのサービングエリアを保存し、元の中間ＳＭＦおよびそのサービングエリアを削除する。または、ＡＭＦエンティティは、新規のＳＭＦとＰＤＵセッションのアンカーポイントＳＭＦとは同一であると発見し、かつ当該ＰＤＵセッションに対し中間ＳＭＦ情報を保存してある場合、ＰＤＵセッションの中間ＳＭＦを削除し、保存してある中間ＳＭＦおよびそのサービングエリア情報を削除する。
【０１９６】
ステップ９０７において、ＡＭＦエンティティは、登録受け入れメッセージ（Ｒｅｇｉｓｔｒａｔｉｏｎ  Ａｃｃｅｐｔ）またはサービス受け入れメッセージ（Ｓｅｒｖｉｃｅ  Ａｃｃｅｐｔ）をＵＥに返信する。
【０１９７】
上記実施例は、本開示のＳＭＦインサート方法を説明したが、以下、実施例と図面を参照して本開示のＳＭＦインサート方法に対応するＡＭＦエンティティを説明する。
【０１９８】
図１０に示すように、本開示の一部実施例は、ＡＭＦエンティティをさらに提供する。当該ＡＭＦエンティティは、問い合わせモジュール１００１と、更新モジュール１００２とを含む。
【０１９９】
問い合わせモジュール１００１は、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせる。更新モジュール１００２は、前記第２ＳＭＦエンティティを利用して第１ＰＤＵセッションを更新する。
【０２００】
本開示の一部実施例のＡＭＦエンティティは、ＵＥがＵＥの第１ＰＤＵセッションに現在サービングする第１ＳＭＦエンティティのサービングエリアから離れ、または、ＵＥによるＳＭＦエンティティの選択が必要となる場合、ＵＥの関連情報を利用し、ＵＥにサービング可能な第２ＳＭＦエンティティを問い合わせ、第２ＳＭＦエンティティを利用してＵＥの第１ＰＤＵセッションを更新することによって、ＵＥの位置が更新するたびにＳＭＦエンティティの問い合わせを行うことを避け、ＳＭＦエンティティのＡＭＦエンティティによる頻繁な選択を避け、ＡＭＦエンティティとＳＭＦエンティティのサービングエリアの一致を設定する必要がなく、ＳＭＦエンティティの効果的なインサートを実現する。
【０２０１】
本開示の一部実施例において、図１１に示すように、前記問い合わせモジュール１００１は、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定する特定ユニット１００１１と、前記ＵＥの関連情報を利用し、前記ＵＥにサービング可能な第２ＳＭＦエンティティを問い合わせる問い合わせユニット１００１２とを含む。
【０２０２】
具体的に、図１１に示すように、前記ＡＭＦエンティティは、前記ＵＥから送信される登録更新要求メッセージを受信し、または、前記ＵＥにサービングする基地局から送信される切り替え要求またはパス切り替え要求メッセージを受信する受信モジュール１００３と、前記第１ＳＭＦエンティティのＩＤが含まれる前記ＵＥの第１ＰＤＵセッション情報を特定する第１特定モジュール１００４とをさらに含む。
【０２０３】
具体的に、図１１に示すように、前記ＡＭＦエンティティは、前記ＵＥの位置情報を前記第１ＳＭＦエンティティに提供する送信モジュール１００５をさらに含む。
【０２０４】
具体的に、前記第１ＳＭＦエンティティは、アンカーポイントＳＭＦエンティティを含む。
【０２０５】
具体的に、前記第１ＳＭＦエンティティは、第１中間ＳＭＦエンティティをさらに含む。
【０２０６】
本開示の一部実施例において、前記特定ユニット１００１１は、具体的に、前記アンカーポイントＳＭＦエンティティから提供される指示情報に基づいて、前記ＵＥが前記アンカーポイントＳＭＦエンティティのサービングエリアから離れると特定し、または、前記ＵＥによるＳＭＦエンティティの選択が必要となると特定する。または、前記第１中間ＳＭＦエンティティから提供される指示情報に基づいて、前記ＵＥが前記第１中間ＳＭＦエンティティのサービングエリアから離れると特定し、または、前記ＵＥによるＳＭＦエンティティの選択が必要となると特定する。または、前記第１中間ＳＭＦエンティティから提供される前記第１中間ＳＭＦエンティティのサービングエリア情報と前記ＵＥの位置情報に基づいて、前記ＵＥが前記第１中間ＳＭＦエンティティのサービングエリアから離れると特定し、または、前記ＵＥによるＳＭＦエンティティの選択が必要となると特定する。
【０２０７】
具体的に、前記アンカーポイントＳＭＦエンティティから提供される指示情報は、前記アンカーポイントＳＭＦエンティティによって、前記ＡＭＦエンティティから提供される前記ＵＥの位置情報と前記アンカーポイントＳＭＦエンティティのサービングエリア情報に基づいて特定される。前記第１中間ＳＭＦエンティティから提供される指示情報は、前記第１中間ＳＭＦエンティティによって、前記ＡＭＦエンティティから提供される前記ＵＥの位置情報と前記第１中間ＳＭＦエンティティのサービングエリア情報に基づいて特定される。
【０２０８】
本開示の一部実施例において、前記問い合わせモジュール１００１は、具体的に、前記ＵＥの関連情報を利用し、ＮＲＦエンティティを問い合わせ、前記第２ＳＭＦエンティティの情報を取得し、前記第２ＳＭＦエンティティの情報に基づいて、前記第２ＳＭＦエンティティを特定する。
【０２０９】
本開示の一部実施例において、図１１に示すように、前記ＡＭＦエンティティは、ＵＥから送信される登録更新要求メッセージを再び受信し、または、前記ＵＥにサービングする基地局から送信される切り替え要求またはパス切り替え要求メッセージを受信すると、前記ＵＥにサービングする第２ＳＭＦエンティティがネットワークに存在すると特定する第２特定モジュール１００６と、前記第２ＳＭＦエンティティが引き続きサービング可能であるかを判断する第１判断モジュール１００７と、前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする第１インサートモジュール１００８と、前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする第２インサートモジュール１００９とをさらに含む。
【０２１０】
本開示の一部実施例において、前記第１ＰＤＵセッション情報は、前記第１ＰＤＵセッションの所属するネットワークスライシングの情報をさらに含む。
【０２１１】
さらに、図１１に示すように、前記ＡＭＦエンティティは、前記ＵＥから送信される登録更新要求メッセージを再び受信し、または、前記ＵＥにサービングする基地局から送信される切り替え要求またはパス切り替え要求メッセージを受信すると、前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定する第３特定モジュール１０１０と、前記第２ＳＭＦエンティティが引き続きサービング可能であるかを判断する第２判断モジュール１０１１と、前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする第３インサートモジュール１０１２と、前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする第４インサートモジュール１０１３とをさらに含む。
【０２１２】
本開示の一部実施例において、前記ＡＭＦエンティティは、前記ＵＥにサービングする第２ＳＭＦエンティティがネットワークに存在すると特定する第４特定モジュールと、前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする第５インサートモジュールとをさらに含む。
【０２１３】
さらに、前記ＡＭＦエンティティは、前記第１ＰＤＵセッションの所属するネットワークスライシングの情報を特定する第５特定モジュールと、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定する第６特定モジュールと、前記ＵＥにサービングする第２ＳＭＦエンティティが前記第１ＰＤＵセッションの所属するネットワークスライシングに存在すると特定する第７特定モジュールと、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサート第６インサートモジュールとをさらに含む。
【０２１４】
図１２に示すように、本開示の一部実施例は、ＡＭＦエンティティをさらに提供する。当該ＡＭＦエンティティは、プロセッサ１２０１と、送信器１２０２と、受信器１２０３と、メモリ１２０４を含む。
【０２１５】
前記プロセッサ１２０１は、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせ、前記第２ＳＭＦエンティティを利用して前記第１ＰＤＵセッションを更新する。
【０２１６】
本開示の一部実施例のＡＭＦエンティティは、ＵＥがＵＥの第１ＰＤＵセッションに現在サービングする第１ＳＭＦエンティティのサービングエリアから離れ、または、ＵＥによるＳＭＦエンティティの選択が必要となる場合、ＵＥの関連情報を利用し、ＵＥにサービング可能な第２ＳＭＦエンティティを問い合わせ、第２ＳＭＦエンティティを利用してＵＥの第１ＰＤＵセッションを更新することによって、ＵＥの位置が更新するたびにＳＭＦエンティティの問い合わせを行うことを避け、ＳＭＦエンティティのＡＭＦエンティティによる頻繁な選択を避け、ＡＭＦエンティティとＳＭＦエンティティのサービングエリアの一致を設定する必要がなく、ＳＭＦエンティティの効果的なインサートを実現する。
【０２１７】
本開示の一部実施例において、選択可能に、前記プロセッサ１２０１は、さらに、前記第１ＳＭＦエンティティから提供される情報に基づいて、前記ＵＥが前記第１ＳＭＦエンティティのサービングエリアから離れると特定し、または、前記ＵＥによるＳＭＦエンティティの選択が必要となると特定する特定し、前記ＵＥの関連情報を利用し、前記ＵＥにサービング可能な第２ＳＭＦエンティティを問い合わせる。
【０２１８】
選択可能に、前記受信器１２０３は、前記ＵＥから送信される登録更新要求メッセージを受信し、または、前記ＵＥにサービングする基地局から送信される切り替え要求またはパス切り替え要求メッセージを受信する。前記プロセッサ１２０１は、さらに、前記第１ＳＭＦエンティティのＩＤが含まれる前記ＵＥの第１ＰＤＵセッション情報を特定する。
【０２１９】
選択可能に、前記送信器１２０２は、前記ＵＥの位置情報を前記第１ＳＭＦエンティティに送信する。
【０２２０】
選択可能に、前記第１ＳＭＦエンティティは、アンカーポイントＳＭＦエンティティを含む。
【０２２１】
選択可能に、前記第１ＳＭＦエンティティは、第１中間ＳＭＦエンティティをさらに含む。
【０２２２】
選択可能に、前記プロセッサ１２０１は、さらに、前記アンカーポイントＳＭＦエンティティから提供される指示情報に基づいて、前記ＵＥが前記アンカーポイントＳＭＦエンティティのサービングエリアから離れると特定し、または、前記ＵＥによるＳＭＦエンティティの選択が必要となると特定する。または、前記第１中間ＳＭＦエンティティから提供される指示情報に基づいて、前記ＵＥが前記第１中間ＳＭＦエンティティのサービングエリアから離れると特定し、または、前記ＵＥによるＳＭＦエンティティの選択が必要となると特定する。または、前記第１中間ＳＭＦエンティティから提供される前記第１中間ＳＭＦエンティティのサービングエリア情報と前記ＵＥの位置情報に基づいて、前記ＵＥが前記第１中間ＳＭＦエンティティのサービングエリアから離れると特定し、または、前記ＵＥによるＳＭＦエンティティの選択が必要となると特定する。
【０２２３】
選択可能に、前記アンカーポイントＳＭＦエンティティから提供される指示情報は、前記アンカーポイントＳＭＦエンティティによって、前記ＡＭＦエンティティから提供される前記ＵＥの位置情報と前記アンカーポイントＳＭＦエンティティのサービングエリア情報に基づいて特定される。前記第１中間ＳＭＦエンティティから提供される指示情報は、前記第１中間ＳＭＦエンティティによって、前記ＡＭＦエンティティから提供される前記ＵＥの位置情報と前記第１中間ＳＭＦエンティティのサービングエリア情報に基づいて特定される。
【０２２４】
選択可能に、前記プロセッサ１２０１は、さらに、前記ＵＥの関連情報を利用し、ＮＲＦエンティティを問い合わせ、前記第２ＳＭＦエンティティの情報を取得し、前記第２ＳＭＦエンティティの情報に基づいて、前記第２ＳＭＦエンティティを特定する。
【０２２５】
選択可能に、前記プロセッサ１２０１は、さらに、前記ＵＥから送信される登録更新要求メッセージを再び受信し、または、前記ＵＥにサービングする基地局から送信される切り替え要求またはパス切り替え要求メッセージを受信すると、前記ＵＥにサービングする第２ＳＭＦエンティティがネットワークに存在すると特定し、前記第２ＳＭＦエンティティが引き続きサービング可能であるかを判断する。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第３ＳＭＦエンティティを問い合わせ、前記第３ＳＭＦエンティティを前記第１ＰＤＵセッションにインサートする。
【０２２６】
選択可能に、前記第１ＰＤＵセッション情報は、前記第１ＰＤＵセッションの所属するネットワークスライシングの情報をさらに含む。
【０２２７】
選択可能に、前記プロセッサ１２０１は、さらに、前記ＵＥから送信される登録更新要求メッセージを再び受信し、または、前記ＵＥにサービングする基地局から送信される切り替え要求またはパス切り替え要求メッセージを受信すると、前記第１ＰＤＵセッションの所属するネットワークスライシングの情報に基づいて、前記ＵＥにサービングする第２ＳＭＦエンティティが前記第１ＰＤＵセッションの所属するネットワークスライシングに存在すると特定し、前記第２ＳＭＦエンティティが引き続きサービング可能であるかを判断する。前記第２ＳＭＦエンティティが引き続きサービング可能である場合、前記第１ＰＤＵセッションのアンカーポイントＳＭＦエンティティと前記第２ＳＭＦエンティティとは異なると、前記第２ＳＭＦエンティティを前記第１ＰＤＵセッションにインサートする。前記第２ＳＭＦエンティティが引き続きサービング不可能である場合、前記ＵＥにサービング可能な第４ＳＭＦエンティティを問い合わせ、前記第４ＳＭＦエンティティを前記第１ＰＤＵセッションにインサートする。
【０２２８】
選択可能に、前記プロセッサ１２０１は、さらに、前記ＵＥにサービングする第２ＳＭＦエンティティがネットワークに存在すると特定し、前記ＵＥが前記ＵＥの第２ＰＤＵセッションに現在サービングする第５ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする。
【０２２９】
選択可能に、前記プロセッサ１２０１は、さらに、前記第１ＰＤＵセッションの所属するネットワークスライシングの情報を特定し、前記第１ＰＤＵセッションの所属するネットワークスライシングの情報に基づいて、前記第１ＰＤＵセッションの所属するネットワークスライシングに前記ＵＥの第２ＰＤＵセッションが存在すると特定し、前記ＵＥにサービングする第２ＳＭＦエンティティが前記第１ＰＤＵセッションの所属するネットワークスライシングに存在すると特定し、前記ＵＥが前記第２ＰＤＵセッションに現在サービングする第６ＳＭＦエンティティのサービングエリアから離れ、または、前記ＵＥによるＳＭＦエンティティの選択が必要となる場合、前記第２ＳＭＦエンティティを前記第２ＰＤＵセッションにインサートする。
【０２３０】
選択可能に、前記プロセッサ１２０１は、さらに、ＮＲＦエンティティから提供される前記第１ＳＭＦエンティティのサービングエリア情報に基づいて、前記ＵＥが前記第１ＳＭＦエンティティのサービングエリアから離れると特定し、前記ＵＥの関連情報を利用し、前記ＵＥにサービング可能な第２ＳＭＦエンティティを問い合わせる。
【０２３１】
選択可能に、前記プロセッサ１２０１は、さらに、前記ＮＲＦエンティティから提供される前記第１ＳＭＦエンティティのサービングエリア情報を取得して保存し、前記ＵＥの登録更新プロセス、サービス要求プロセスまたは切り替えプロセスにおいて、前記第１ＳＭＦエンティティのサービングエリア情報に基づいて、前記ＵＥが前記第１ＳＭＦエンティティのサービングエリアから離れると特定する。
【０２３２】
選択可能に、前記プロセッサ１２０１は、さらに、前記ＵＥの関連情報を利用し、前記ＮＲＦエンティティを問い合わせ、前記第２ＳＭＦエンティティの情報を取得し、前記第２ＳＭＦエンティティの情報に基づいて、前記第２ＳＭＦエンティティを特定する。
【０２３３】
選択可能に、前記第２ＳＭＦエンティティの情報は、前記第２ＳＭＦエンティティのサービングエリア情報を含み、前記プロセッサ１２０１は、さらに、前記第２ＳＭＦエンティティのサービングエリア情報を保存し、前記第１ＳＭＦエンティティのサービングエリア情報を削除する。
【０２３４】
図１２において、バスアーキテクチャ（バス１２００で示す）は、任意数の相互接続するバスとブリッジを含み、プロセッサ１２００をはじめとする１つ又は複数のプロセッサとメモリ１２０４をはじめとするメモリの各種類の回路が接続したものである。送信器１２０２と受信器１２０３は、１つの送受信インタフェースであってもよく、バス１２００を介してプロセッサ１２０１とメモリ１２０４に接続される。
【０２３５】
プロセッサ１２０１は、バス１２００と通常の処理を管理する。メモリ１２０４は、プロセッサ１２０１による操作実行に使用されるデータを記憶する。
【０２３６】
本開示の一部実施例は、メモリと、プロセッサと、前記メモリに記憶されて前記プロセッサで実行可能なコンピュータプログラムを含むＡＭＦエンティティをさらに提供する。ここで、前記コンピュータプログラムが前記プロセッサによって実行されると、上記ＳＭＦインサート方法の方法実施例の各プロセスが実現され、かつ同一の技術効果を奏することもできるため、重複な記載を避けるために、ここでは繰り返して記載しない。
【０２３７】
具体的に、図１３に示すように、本開示の一部実施例において、ＡＭＦエンティティをさらに提供する。前記ＡＭＦエンティティは、バス１３０１と、トランシーバ１３０２と、アンテナ１３０３と、バスインタフェース１３０４と、プロセッサ１３０５と、メモリ１３０６を含む。
【０２３８】
プロセッサ１３０５は、メモリ１３０６からプログラムを読み取ることによって、上記図１〜図９に示すＳＭＦインサート方法を実行する。具体的に、プロセッサ１３０５は、メモリ１３０６からプログラムを読み取ることによって、ＵＥが前記ＵＥの第１ＰＤＵセッションに現在サービングする第１ＳＭＦエンティティのサービングエリアから離れ、または、前記ＵＥによるＳＭＦエンティティの選択が必要となる場合、前記ＵＥの関連情報を利用し、前記ＵＥにサービング可能な第２ＳＭＦエンティティを問い合わせるプロセスと、前記第２ＳＭＦエンティティを利用して第１ＰＤＵセッションを更新するプロセスとを実行する。
【０２３９】
トランシーバ１３０２は、プロセッサ１３０５による制御でデータを送受信する。
【０２４０】
図１３において、バスアーキテクチャ（バス１３０１で示す）は、任意数の相互接続するバスとブリッジを含む。バス１３０１は、プロセッサ１３０５をはじめとする１つ又は複数のプロセッサとメモリ１３０６をはじめとするメモリの各種類の回路が接続したものである。バス１３０１は、周辺イクイップメント、レギュレーター、電力管理回路などの各種類のほかの回路を接続したものであってもよい。これらは、いずれも本分野の公知事項であり、本文においてさらなる記載をしない。バスインタフェース１３０４は、バス１３０１とトランシーバ１３０２との間でインタフェースが提供される。トランシーバ１３０２は、１つの部品であってもよく、複数の受信器および送信器など、複数の部品であってもよく、伝送媒体でほかの各種類の装置と通信するユニットとして提供される。プロセッサ１３０５によって処理されたデータは、アンテナ１３０３を介して無線媒体で伝送される。さらに、アンテナ１３０３は、データを受信し、データをプロセッサ１３０５に伝送する。
【０２４１】
プロセッサ１３０５は、バス１３０１と通常の処理を管理し、さらに計時、周囲インタフェース、電圧調節、電源管理およびほかの制御機能など、様々な機能も提供する。メモリ１３０６は、プロセッサ１３０５による操作実行に用いられるデータを記憶ことに用いられる。
【０２４２】
選択可能に、プロセッサ１３０５は、ＣＰＵ、ＡＳＩＣ、ＦＰＧＡまたはＣＰＬＤである。
【０２４３】
本開示の一部実施例は、コンピュータプログラムが記憶されているコンピュータ読み取り可能な記憶媒体をさらに提供する。ここで、前記コンピュータプログラムがプロセッサによって実行されると、本開示の図１〜図９に示す上記ＳＭＦインサート方法の実施例の各プロセスまたは本開示の上記ＡＭＦエンティティの各モジュールの機能を実現し、かつ同一の技術効果を奏することもできるため、重複な説明を避けるために、ここでは繰り返して記載しない。
【０２４４】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０２４５】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０２４６】
上述した本開示の実施例の番号は、単に記載用のものであり、実施例の優劣を代表しない。
【０２４７】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０２４８】
以上記載されたのは、単に本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
0006983913.tif 000002
【図２】
0006983913.tif 000003
【図３】
0006983913.tif 000004
【図４】
0006983913.tif 000005
【図５】
0006983913.tif 000006
【図６】
0006983913.tif 000007
【図７】
0006983913.tif 000008
【図８】
0006983913.tif 000009
【図９】
0006983913.tif 000010
【図１０】
0006983913.tif 000011
【図１１】
0006983913.tif 000012
【図１２】
0006983913.tif 000013
【図１３】
0006983913.tif 000014